(57)【特許請求の範囲】
【請求項１】
ワイヤレス通信の方法であって、
マクロノードの動作特性に従って複数のマクロセットを形成することと、
前記複数のマクロセットのうちの少なくとも１つのアクティブマクロセットからのデータを含む少なくとも１つの擬似オールモストブランクサブフレーム（ＡＢＳ）を形成することと、ここにおいて、前記擬似ＡＢＳはＡＢＳから変換され、前記データは、送信のランクもしくは優先度、送信モード、および送信の変調ならびにコーディング方式のうちの少なくとも１つによって制限され、前記送信モードは、ＴＭ３モードとＴＭ３／４モードのうちの１つである、
範囲拡大リソースによって使用されることになるパーティションを与えるために複数のサブフレームを区分することと、ここにおいて前記区分された複数のサブフレームのうちの少なくとも１つのサブフレームが、前記形成された擬似ＡＢＳのうちの少なくとも１つを含む、
を備える、方法。
【請求項２】
前記動作特性が前記マクロノードのセクタ化を含み、前記方法は、
前記マクロノードに対応する複数のセクタを指定することをさらに備え、ここにおいて前記複数のマクロセットが、前記指定された複数のセクタに対応して形成される、
請求項１に記載の方法。
【請求項３】
ピコノードが擬似ＡＢＳ内でのユーザ機器への送信をスケジュールすることをさらに備える、請求項１または２に記載の方法。
【請求項４】
前記範囲拡大リソースのための前記パーティションがＡＢＳと擬似ＡＢＳの両方を含む、請求項１に記載の方法。
【請求項５】
前記範囲拡大リソースのための前記パーティションが、複数のマクロセットを有する複数の擬似ＡＢＳを含む、請求項１に記載の方法。
【請求項６】
範囲拡大ＵＥのプロパティに対応するデータを受信することと、
前記受信されたデータに少なくとも部分的に基づいて擬似ＡＢＳ中でどのマクロセットがアクティブになるかを判断することと
をさらに備える、請求項１乃至３のいずれか一項に記載の方法。
【請求項７】
範囲拡大ＵＥのプロパティに対応する前記受信されたデータが、前記ＵＥの干渉消去能力に関するデータと、１つまたは複数のセルからの観測された信号電力データとのうちの少なくとも１つを含む、請求項６に記載の方法。
【請求項８】
ワイヤレス通信のために構成された装置であって、
マクロノードの動作特性に従って複数のマクロセットを形成するための手段と、
前記複数のマクロセットのうちの少なくとも１つのアクティブマクロセットからのデータを含む少なくとも１つの擬似ＡＢＳを形成するための手段と、ここにおいて、前記擬似ＡＢＳはＡＢＳから変換され、前記データは、送信のランクもしくは優先度、送信モード、および送信の変調ならびにコーディング方式のうちの少なくとも１つによって制限され、前記送信モードは、ＴＭ３モードとＴＭ３／４モードのうちの１つである、
範囲拡大リソースによって使用されることになるパーティションを与えるために複数のサブフレームを区分するための手段と、ここにおいて前記区分された複数のサブフレームのうちの少なくとも１つのサブフレームが、前記形成された擬似ＡＢＳのうちの少なくとも１つを含む、
を備える、装置。
【請求項９】
前記動作特性が前記マクロノードのセクタ化を含み、前記装置は、
前記マクロノードに対応する複数のセクタを指定するための手段をさらに備え、ここにおいて前記複数のマクロセットが、前記指定された複数のセクタに対応して形成される、
請求項８に記載の装置。
【請求項１０】
擬似ＡＢＳ内での範囲拡大ユーザ機器への送信をスケジュールするための手段をさらに備える、請求項８または９に記載の装置。
【請求項１１】
前記範囲拡大リソースのための前記パーティションがＡＢＳと擬似ＡＢＳの両方を含む、請求項８に記載の装置。
【請求項１２】
前記範囲拡大リソースのための前記パーティションが、複数のマクロセットを有する複数の擬似ＡＢＳを含む、請求項８に記載の装置。
【請求項１３】
範囲拡大ＵＥのプロパティに対応するデータを受信するための手段と、
前記受信されたデータに少なくとも部分的に基づいて擬似ＡＢＳ中でどのマクロセットがアクティブになるかを判断するための手段と
をさらに備える、請求項８乃至１０のいずれか一項に記載の装置。
【請求項１４】
範囲拡大ＵＥのプロパティに対応する前記受信されたデータが、前記ＵＥの干渉消去能力に関するデータと、１つまたは複数のセルからの観測された信号電力データとのうちの少なくとも１つを含む、請求項１３に記載の装置。
【請求項１５】
請求項１乃至７のうちの１つの方法の全てのステップを実装するようにコンピュータ実行可能であるプログラム命令を備える、コンピュータプログラム。
【発明の詳細な説明】
【技術分野】
【０００１】
関連出願の相互参照
[0001]本出願は、その全体が参照により本明細書に明確に組み込まれる、２０１２年１０月２４日に出願された「METHOD AND APPARATUS FOR IMPROVING RESOURCE USAGE IN COMMUNICATION NETWORKS USING INTERFERENCE CANCELATION」と題する米国仮特許出願第６１／７１８，１２７号の利益を主張する。
【０００２】
[0002]本開示の態様は、一般にワイヤレス通信システムに関し、より詳細には、干渉消去（interference cancelation）を使用して通信ネットワークにおけるリソース使用状況を改善することに関する。
【背景技術】
【０００３】
[0003]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。そのようなネットワークは、通常、多元接続ネットワークであり、利用可能なネットワークリソースを共有することによって複数のユーザのための通信をサポートする。そのようなネットワークの一例はユニバーサル地上波無線アクセスネットワーク（ＵＴＲＡＮ：Universal Terrestrial Radio Access Network）である。ＵＴＲＡＮは、第３世代パートナーシッププロジェクト（３ＧＰＰ：3rd Generation Partnership Project）によってサポートされる第３世代（３Ｇ）モバイルフォン技術である、ユニバーサルモバイルテレコミュニケーションシステム（ＵＭＴＳ：Universal Mobile Telecommunication System）の一部として定義された無線アクセスネットワーク（ＲＡＮ）である。多元接続ネットワークフォーマットの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]ワイヤレス通信ネットワークは、いくつかのユーザ機器（ＵＥ）のための通信をサポートすることができるいくつかの基地局またはノードＢを含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００５】
[0005]基地局は、ＵＥにダウンリンク上でデータおよび制御情報を送信し得、および／またはＵＥからアップリンク上でデータおよび制御情報を受信し得る。ダウンリンク上では、基地局からの送信は、ネイバー基地局からの送信、または他のワイヤレス無線周波数（ＲＦ）送信機からの送信による干渉に遭遇することがある。アップリンク上では、ＵＥからの送信は、ネイバー基地局と通信する他のＵＥのアップリンク送信からの干渉、または他のワイヤレスＲＦ送信器からの干渉に遭遇することがある。この干渉は、ダウンリンクとアップリンクの両方でパフォーマンスを劣化させることがある。
【０００６】
[0006]いくつかのワイヤレスネットワークは、より高電力のマクロセル、およびより低電力のピコノード、フェムトノード、およびリレー（relays）など、基地局の多様なセットを使用して、単位面積当たりのシステムのスペクトル効率を改善する。これらのワイヤレスネットワークは、それらのスペクトルカバレージのためにそのような異なる基地局およびノードを使用するので、それらは異種（heterogeneous）ネットワークとしばしば呼ばれる。高電力のマクロセルは、サービス容量および品質を増加させるために、ＵＥのサービスを低電力ノードにオフロードすることが可能である。マクロセルからの高電力信号（higher power signals）はピコノードまたはフェムトノードからの低電力信号（lower power signals）との干渉を生じることがあるので、潜在的な干渉を低減するためにリソース区分機構（resource partitioning mechanisms）が使用される。負荷処理効率の増加は、低電力ノードのカバレージエリアのエッジにおいてサービス方式を与えることによって実現され得る。セル範囲拡大（cell range expansion）と呼ばれるこれらのエリア内では、マクロノードとピコ／フェムトノードとの間のリソース区分方法が利用される。しかしながら、そのような区分スキーマは非効率性を生じる。たとえば、ネットワークが、より大きいピコセル範囲拡大のために調整されたとき、マクロノードは、リソースを放棄するように構成される。逆に、区分が実装されない場合、ピコセル範囲拡大領域中のＵＥは停止（outage）することになる。そのような停止を防ぐために、これらのＵＥはマクロノードに接続し、その結果、マクロノードのより高電力の信号により、不釣り合いな数のＵＥがピコ／フェムトノードの代わりにマクロノードに接続することになる。これらの事例はそれぞれ、リソースのバランスの欠如によりスループット能力を妨害し、たとえば過剰なＵＥがピコ／フェムトノードに接続されたとき、ピコ／フェムトノードは、ＵＥの各々のためのスケジューリングのための負担を維持することを強制される。逆に、ＵＥがマクロノードにより多くダイレクトされるとき、ピコ／フェムトノードの分散能力は十分に利用されない。
【０００７】
[0007]モバイルブロードバンドアクセスに対する需要が増加し続けるにつれて、干渉および輻輳ネットワークの可能性は、より多くのＵＥが長距離ワイヤレス通信ネットワークにアクセスし、より多くの短距離ワイヤレスシステムがコミュニティにおいて展開されるようになるとともに増大する。モバイルブロードバンドアクセスに対する増大する需要を満たすためだけでなく、モバイル通信のユーザエクスペリエンスを進化および向上させるためにもＵＭＴＳ技術を進化させる研究および開発が続けられている。
【発明の概要】
【０００８】
[0008]本開示の一態様では、ワイヤレス通信の方法が、マクロノードの動作特性（operating characteristics）に従って複数のマクロセットを形成することと、複数のマクロセットのうちの少なくとも１つのアクティブマクロセットを含む少なくとも１つの擬似ＡＢＳ（quasi-ABS）を形成することと、範囲拡大リソース（a range expansion resource）によって使用されることになるパーティションを与えるために複数のサブフレームを区分することとを含み、ここにおいて、区分された複数のサブフレームのうちの少なくとも１つのサブフレームは、形成された擬似ＡＢＳのうちの少なくとも１つを含む。
【０００９】
[0009]本開示の追加の態様では、ワイヤレス通信のために構成された装置が、マクロノードの動作特性に従って複数のマクロセットのための手段と、複数のマクロセットのうちの少なくとも１つのアクティブマクロセットを含む少なくとも１つの擬似ＡＢＳを形成するための手段と、範囲拡大リソースによって使用されることになるパーティションを与えるために複数のサブフレームを区分するための手段とを含み、ここにおいて、区分された複数のサブフレームのうちの少なくとも１つのサブフレームは、形成された擬似ＡＢＳのうちの少なくとも１つを含む。
【００１０】
[0010]本開示の追加の態様では、コンピュータプログラム製品が、非一時的コンピュータ可読媒体を含む。非一時的コンピュータ可読媒体は、コンピュータに、マクロノードの動作特性に従って複数のマクロセットを形成することと、複数のマクロセットのうちの少なくとも１つのアクティブマクロセットを含む少なくとも１つの擬似ＡＢＳを形成することと、範囲拡大リソースによって使用されることになるパーティションを与えるために複数のサブフレームを区分することとを行わせるためのコードを含み、ここにおいて、区分された複数のサブフレームのうちの少なくとも１つのサブフレームは、形成された擬似ＡＢＳのうちの少なくとも１つを含む。
【００１１】
[0011]本開示の追加の態様では、装置が、マクロノードの動作特性に従って複数のマクロセットを形成することと、複数のマクロセットのうちの少なくとも１つのアクティブマクロセットを含む少なくとも１つの擬似ＡＢＳを形成することと、範囲拡大リソースによって使用されることになるパーティションを与えるために複数のサブフレームを区分することとを行うように構成された少なくとも１つのプロセッサを含み、ここにおいて、区分された複数のサブフレームのうちの少なくとも１つのサブフレームは、形成された擬似ＡＢＳのうちの少なくとも１つを含む。
【００１２】
[0012]本開示の一態様では、ワイヤレス通信の方法が、ユーザエンティティ（user entity）がマクロノードに干渉情報を与えることと、ピコノードによってスケジュールされた通信を受信することとを含み、ここにおいて、通信は、マクロノードからのデータの少なくとも１つのマクロセットに対応する情報を含む擬似ＡＢＳ上で搬送される。
【００１３】
[0013]本開示の追加の態様では、ワイヤレス通信のために構成された装置が、ユーザエンティティがマクロノードに干渉情報を与えるための手段と、ピコノードによってスケジュールされた通信を受信するための手段とを含み、ここにおいて、通信は、マクロノードからのデータの少なくとも１つのマクロセットに対応する情報を含む擬似ＡＢＳ上で搬送される。
【００１４】
[0014]本開示の追加の態様では、コンピュータプログラム製品が、非一時的コンピュータ可読媒体を含む。非一時的コンピュータ可読媒体は、コンピュータに、ユーザエンティティがマクロノードに干渉情報を与えることと、ピコノードによってスケジュールされた通信を受信することとを行わせるためのコードを含み、ここにおいて、通信は、マクロノードからのデータの少なくとも１つのマクロセットに対応する情報を含む擬似ＡＢＳ上で搬送される。
【００１５】
[0015]本開示の追加の態様では、装置が、ユーザエンティティがマクロノードに干渉情報を与えることと、ピコノードによってスケジュールされた通信を受信することとを行うように構成された少なくとも１つのプロセッサを含み、ここにおいて、通信は、マクロノードからのデータの少なくとも１つのマクロセットに対応する情報を含む擬似ＡＢＳ上で搬送される。
【００１６】
[0016]本開示の一態様では、ワイヤレス通信の方法が、マクロノードから複数のサブフレームへのアクセスを受信することと、ここにおいて、複数のサブフレームのうちの少なくとも１つは、マクロノードからのデータの少なくとも１つのマクロセットに対応する情報を含む擬似ＡＢＳを含む、範囲拡大ユーザエンティティによって使用されるように少なくとも１つの擬似ＡＢＳをスケジュールすることとを含む。
【００１７】
[0017]本開示の追加の態様では、ワイヤレス通信のために構成された装置が、マクロノードから複数のサブフレームへのアクセスを受信するための手段と、ここにおいて、複数のサブフレームのうちの少なくとも１つは、マクロノードからのデータの少なくとも１つのマクロセットに対応する情報を含む擬似ＡＢＳを含む、範囲拡大ユーザエンティティによって使用されるように少なくとも１つの擬似ＡＢＳをスケジュールするための手段とを含む。
【００１８】
[0018]本開示の追加の態様では、コンピュータプログラム製品が、非一時的コンピュータ可読媒体を含む。非一時的コンピュータ可読媒体は、コンピュータに、マクロノードから複数のサブフレームへのアクセスを受信することと、ここにおいて、複数のサブフレームのうちの少なくとも１つは、マクロノードからのデータの少なくとも１つのマクロセットに対応する情報を含む擬似ＡＢＳを含む、範囲拡大ユーザエンティティによって使用されるように少なくとも１つの擬似ＡＢＳをスケジュールすることとを行わせるためのコードを含む。
【００１９】
[0019]本開示の追加の態様では、装置が、マクロノードから複数のサブフレームへのアクセスを受信することと、ここにおいて、複数のサブフレームのうちの少なくとも１つは、マクロノードからのデータの少なくとも１つのマクロセットに対応する情報を含む擬似ＡＢＳを含む、範囲拡大ユーザエンティティによって使用されるように少なくとも１つの擬似ＡＢＳをスケジュールすることとを行うように構成された少なくとも１つのプロセッサを含む。
【図面の簡単な説明】
【００２０】
【図１】[0020]モバイル通信システムの一例を概念的に示すブロック図。
【図２】[0021]モバイル通信システムにおけるダウンリンクフレーム構造の一例を概念的に示すブロック図。
【図３】[0022]アップリンクＬＴＥ／−Ａ通信における例示的なフレーム構造を概念的に示すロック図。
【図４】[0023]本開示の一態様による、異種ネットワークにおける時分割多重（ＴＤＭ）区分を概念的に示すブロック図。
【図５】[0024]本開示の一態様に従って構成された基地局／ｅＮＢおよびＵＥの設計を概念的に示すブロック図。
【図６】[0025]本開示の一態様による、六角形展開のためのマクロセットの例示的なレイアウトを概念的に示すブロック図。
【図７】[0026]本開示の一態様による、図６のマクロセットのためのサブフレーム割当て構成の例示的なレイアウトを概念的に示すブロック図。
【図８】[0027]本開示の一態様を実装するために実行される例示的なブロックを示す機能ブロック図。
【図９】[0028]本開示の一態様を実装するために実行される例示的なブロックを示す機能ブロック図。
【図１０】[0029]本開示の一態様を実装するために実行される例示的なブロックを示す機能ブロック図。
【発明を実施するための形態】
【００２１】
[0030]添付の図面に関して以下に示す発明を実施するための形態は、様々な構成を説明するものであり、本開示の範囲を限定するものではない。そうではなく、発明を実施するための形態は、本発明の主題の完全な理解を与えるための具体的な詳細を含む。これらの具体的な詳細は、あらゆる場合において必要とされるとは限らないことと、いくつかの事例では、よく知られている構造および構成要素は提示を明快にするためにブロック図の形式で示されることとが当業者には明らかであろう。
【００２２】
[0031]本明細書で説明する技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークのために使用され得る。「ネットワーク」および「システム」という用語はしばしば互換的に使用される。ＣＤＭＡネットワークは、ユニバーサル地上波無線アクセス（ＵＴＲＡ：Universal Terrestrial Radio Access）、米国電気通信工業会（ＴＩＡ：Telecommunications Industry Association）のＣＤＭＡ２０００（登録商標）などの無線技術を実装し得る。ＵＴＲＡ技術は、広帯域ＣＤＭＡ（ＷＣＤＭＡ（登録商標））およびＣＤＭＡの他の変形態を含む。ＣＤＭＡ２０００（登録商標）技術は、米国電子工業会（ＥＩＡ：Electronics Industry Alliance）およびＴＩＡからのＩＳ−２０００、ＩＳ−９５およびＩＳ−８５６規格を含む。ＴＤＭＡネットワークは、モバイル通信用グローバルシステム（ＧＳＭ（登録商標）：Global System for Mobile Communications）などの無線技術を実装し得る。ＯＦＤＭＡネットワークは、Ｅｖｏｌｖｅｄ  ＵＴＲＡ（Ｅ−ＵＴＲＡ）、ウルトラモバイルブロードバンド（ＵＭＢ：Ultra Mobile Broadband）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭＡなどの無線技術を実装し得る。ＵＴＲＡ技術およびＥ−ＵＴＲＡ技術はユニバーサルモバイルテレコミュニケーションシステム（ＵＭＴＳ）の一部である。３ＧＰＰロングタームエボリューション（ＬＴＥ）およびＬＴＥ−Ａｄｖａｎｃｅｄ（ＬＴＥ−Ａ）は、Ｅ−ＵＴＲＡを使用するＵＭＴＳのより新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と呼ばれる団体からの文書に記載されている。ＣＤＭＡ２０００（登録商標）およびＵＭＢは、「第３世代パートナーシッププロジェクト２」（３ＧＰＰ２：3rd Generation Partnership Project 2）と呼ばれる団体からの文書に記載されている。本明細書で説明する技法は、上記のワイヤレスネットワークおよび無線アクセス技術、ならびに他のワイヤレスネットワークおよび無線アクセス技術に使用され得る。明快のために、本技法のいくつかの態様について以下では、ＬＴＥまたはＬＴＥ−Ａ（代替として一緒に「ＬＴＥ／−Ａ」と呼ばれる）に関して説明し、以下の説明の大部分ではそのようなＬＴＥ／−Ａ用語を使用する。
【００２３】
[0032]図１に、通信のためのワイヤレスネットワーク１００を示し、これはＬＴＥ−Ａネットワークであり得る。ワイヤレスネットワーク１００は、いくつかの発展型ノードＢ（ｅＮＢ）１１０と他のネットワークエンティティとを含む。ｅＮＢは、ＵＥと通信する固定局であり得、基地局、ノードＢ、アクセスポイントなどとも呼ばれる。各ｅＮＢ１１０は、特定の地理的エリアに通信カバレージを与え得る。３ＧＰＰでは、「セル」という用語は、この用語が使用される状況に応じて、ｅＮＢのこの特定の地理的カバレージエリアおよび／またはこのカバレージエリアをサービスするｅＮＢサブシステムを指すことがある。
【００２４】
[0033]ｅＮＢは、マクロセル、ピコセル、フェムトセル、および／または他のタイプのセルに通信カバレージを与え得る。マクロセルは、概して、比較的大きい地理的エリア（たとえば、半径数キロメートル）をカバーし、サービスに加入しているＵＥによるネットワークプロバイダとの無制限アクセスを可能にし得る。ピコセルは、概して、比較的小さい地理的エリアをカバーすることになり、サービスに加入しているＵＥによるネットワークプロバイダとの無制限アクセスを可能にし得る。また、フェムトセルは、概して、比較的小さい地理的エリア（たとえば、自宅）をカバーすることになり、無制限アクセスに加えて、フェムトセルとの関連を有するＵＥ（たとえば、限定加入者グループ（ＣＳＧ：closed subscriber group）中のＵＥ、自宅内のユーザのためのＵＥなど）による限定アクセスを可能にし得る。マクロセルのためのｅＮＢはマクロｅＮＢと呼ばれることがある。ピコセルのためのｅＮＢはピコｅＮＢと呼ばれることがある。また、フェムトセルのためのｅＮＢはフェムトｅＮＢまたはホームｅＮＢと呼ばれることがある。図１に示す例では、ｅＮＢ１１０ａ、１１０ｂおよび１１０ｃは、それぞれマクロセル１０２ａ、１０２ｂおよび１０２ｃのためのマクロｅＮＢである。ｅＮＢ１１０ｘは、ピコセル１０２ｘのためのピコｅＮＢである。また、ｅＮＢ１１０ｙおよび１１０ｚは、それぞれフェムトセル１０２ｙおよび１０２ｚのためのフェムトｅＮＢである。ｅＮＢは、１つまたは複数の（たとえば、２つ、３つ、４つなどの）セルをサポートし得る。
【００２５】
[0034]ワイヤレスネットワーク１００はまた中継局を含む。中継局は、上流局（たとえば、ｅＮＢ、ＵＥなど）からデータおよび／または他の情報の送信を受信し、そのデータおよび／または他の情報の送信を下流局（たとえば、別のＵＥ、別のｅＮＢなど）に送る局である。中継局はまた、他のＵＥに対する送信を中継するＵＥであり得る。図１に示した例では、中継局１１０ｒはｅＮＢ１１０ａおよびＵＥ１２０ｒと通信し得、ここで、中継局１１０ｒは、それらの２つのネットワーク要素（ｅＮＢ１１０ａおよびＵＥ１２０ｒ）間の通信を可能にするために、それらの間のリレーとして働く。中継局は、リレーｅＮＢ、リレーなどと呼ばれることもある。
【００２６】
[0035]ワイヤレスネットワーク１００は、同期動作または非同期動作をサポートし得る。同期動作の場合、ｅＮＢは同様のフレームタイミングを有し得、異なるｅＮＢからの送信は近似的に時間的に整合され得る。非同期動作の場合、ｅＮＢは異なるフレームタイミングを有し得、異なるｅＮＢからの送信は時間的に整合されないことがある。
【００２７】
[0036]ＵＥ１２０はワイヤレスネットワーク１００全体にわたって分散され、各ＵＥは固定またはモバイルであり得る。ＵＥは、端末、移動局、加入者ユニット、局などと呼ばれることもある。ＵＥは、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、ピコｅＮＢ、フェムトｅＮＢ、リレーなどと通信することが可能であり得る。図１において、両矢印付きの実線は、ダウンリンクおよび／またはアップリンク上での、ＵＥと、そのＵＥをサービスするように指定されたｅＮＢであるサービングｅＮＢとの間の所望の送信を示す。両矢印付きの破線は、ＵＥとｅＮＢとの間の干渉送信を示す。
【００２８】
[0037]ＬＴＥ／−Ａは、ダウンリンク上では直交周波数分割多重（ＯＦＤＭ）を利用し、アップリンク上ではシングルキャリア周波数分割多重（ＳＣ−ＦＤＭ）を利用する。ＯＦＤＭおよびＳＣ−ＦＤＭは、システム帯域幅を、一般にトーン、ビンなどとも呼ばれる複数（Ｋ個）の直交サブキャリアに区分する。各サブキャリアはデータで変調され得る。一般に、変調シンボルは、ＯＦＤＭでは周波数領域で、ＳＣ−ＦＤＭでは時間領域で送信される。隣接するサブキャリア間の間隔は固定であり得、サブキャリアの総数（Ｋ）はシステム帯域幅に依存し得る。たとえば、Ｋは、１．４、３、５、１０、１５、または２０メガヘルツ（ＭＨｚ）の対応するシステム帯域幅に対してそれぞれ７２、１８０、３００、６００、９００、および１２００に等しくなり得る。システム帯域幅はまた、サブバンドに区分され得る。たとえば、サブバンドは１．０８ＭＨｚをカバーし得、１．４、３、５、１０、１５、または２０ＭＨｚの対応するシステム帯域幅に対してそれぞれ１つ、２つ、４つ、８つ、または１６個のサブバンドがあり得る。
【００２９】
[0038]図２に、ＬＴＥ／−Ａにおいて使用されるダウンリンクフレーム構造を示す。ダウンリンクの送信タイムラインは、無線フレームの単位に区分され得る。各無線フレームは、所定の持続時間（たとえば、１０ミリ秒（ｍｓ））を有し得、０〜９のインデックスをもつ１０個のサブフレームに区分され得る。各サブフレームは２つのスロットを含み得る。したがって、各無線フレームは、０〜１９のインデックスをもつ２０個のスロットを含み得る。各スロットは、Ｌ個のシンボル期間、たとえば、（図２に示すように）ノーマルサイクリックプレフィックスの場合は７つのシンボル期間、または拡張サイクリックプレフィックスの場合は６つのシンボル期間を含み得る。各サブフレーム中の２Ｌ個のシンボル期間には０〜２Ｌ−１のインデックスが割り当てられ得る。利用可能な時間周波数リソースはリソースブロックに区分され得る。各リソースブロックは、１つのスロット中でＮ個のサブキャリア（たとえば、１２個のサブキャリア）をカバーし得る。
【００３０】
[0039]ＬＴＥ／−Ａでは、ｅＮＢは、ｅＮＢ中の各セルに関する１次同期信号（ＰＳＳ）と２次同期信号（ＳＳＳ）とを送り得る。１次同期信号および２次同期信号は、図２に示すように、それぞれ、ノーマルサイクリックプレフィックスをもつ各無線フレームのサブフレーム０および５の各々中のシンボル期間６および５中で送られ得る。同期信号は、セル検出および捕捉のためにＵＥによって使用され得る。ｅＮＢは、サブフレーム０のスロット１中のシンボル期間０〜３中で物理ブロードキャストチャネル（ＰＢＣＨ：Physical Broadcast Channel）を送り得る。ＰＢＣＨはあるシステム情報を搬送し得る。
【００３１】
[0040]ｅＮＢは、図２に示すように、各サブフレームの最初のシンボル期間中で物理制御フォーマットインジケータチャネル（ＰＣＦＩＣＨ：Physical Control Format Indicator Channel）を送り得る。ＰＣＦＩＣＨは、制御チャネルのために使用されるいくつか（Ｍ個）のシンボル期間を搬送し得、ここで、Ｍは、１、２または３に等しくなり得、サブフレームごとに変化し得る。Ｍはまた、たとえば、リソースブロックが１０個未満である、小さいシステム帯域幅では４に等しくなり得る。図２に示された例では、Ｍ＝３である。ｅＮＢは、各サブフレームの最初のＭ個のシンボル期間中に物理ＨＡＲＱインジケータチャネル（ＰＨＩＣＨ：Physical HARQ Indicator Channel）と物理ダウンリンク制御チャネル（ＰＤＣＣＨ：Physical Downlink Control Channel）とを送り得る。図２に示された例でも、ＰＤＣＣＨおよびＰＨＩＣＨは最初の３つのシンボル期間中に含まれている。ＰＨＩＣＨは、ハイブリッド自動再送信（ＨＡＲＱ：hybrid automatic retransmission）をサポートするための情報を搬送し得る。ＰＤＣＣＨは、ＵＥのためのリソース割振りに関する情報と、ダウンリンクチャネルのための制御情報とを搬送し得る。ｅＮＢは、各サブフレームの残りのシンボル期間中で物理ダウンリンク共有チャネル（ＰＤＳＣＨ：Physical Downlink Shared Channel）を送り得る。ＰＤＳＣＨは、ダウンリンク上でのデータ送信のためにスケジュールされたＵＥのためのデータを搬送し得る。
【００３２】
[0041]各サブフレームの制御セクション中で、すなわち、各サブフレームの第１のシンボル期間中でＰＨＩＣＨとＰＤＣＣＨとを送ることに加えて、ＬＴＥ−Ａはまた、各サブフレームのデータ部分中でもこれらの制御指向チャネルを送信し得る。図２に示したように、データ領域を利用するこれらの新しい制御設計、たとえば、リレー物理ダウンリンク制御チャネル（Ｒ−ＰＤＣＣＨ：Relay-Physical Downlink Control Channel）およびリレー物理ＨＡＲＱインジケータチャネル（Ｒ−ＰＨＩＣＨ：Relay-Physical HARQ Indicator Channel）は、各サブフレームの後のシンボル期間中に含まれる。Ｒ−ＰＤＣＣＨは、最初に半二重リレー動作のコンテキストにおいて開発された、データ領域を利用する新しいタイプの制御チャネルである。１つのサブフレーム中の最初のいくつかの制御シンボルを占有するレガシーＰＤＣＣＨおよびＰＨＩＣＨとは異なり、Ｒ−ＰＤＣＣＨおよびＲ−ＰＨＩＣＨは、最初にデータ領域として指定されたリソース要素（ＲＥ）にマッピングされる。新しい制御チャネルは、周波数分割多重（ＦＤＭ）、時分割多重（ＴＤＭ）、またはＦＤＭとＴＤＭとの組合せの形態であり得る。
【００３３】
[0042]ｅＮＢは、ｅＮＢによって使用されるシステム帯域幅の中心１．０８ＭＨｚにおいてＰＳＳ、ＳＳＳおよびＰＢＣＨを送り得る。ｅＮＢは、これらのチャネルが送られる各シンボル期間中のシステム帯域幅全体にわたってＰＣＦＩＣＨおよびＰＨＩＣＨを送り得る。ｅＮＢは、システム帯域幅のいくつかの部分においてＵＥのグループにＰＤＣＣＨを送り得る。ｅＮＢは、システム帯域幅の特定の部分において特定のＵＥにＰＤＳＣＨを送り得る。ｅＮＢは、すべてのＵＥにブロードキャスト方式でＰＳＳ、ＳＳＳ、ＰＢＣＨ、ＰＣＦＩＣＨおよびＰＨＩＣＨを送り得、特定のＵＥにユニキャスト方法でＰＤＣＣＨを送り得、また特定のＵＥにユニキャスト方法でＰＤＳＣＨを送り得る。
【００３４】
[0043]各シンボル期間においていくつかのリソース要素が利用可能であり得る。各リソース要素は、１つのシンボル期間中の１つのサブキャリアをカバーし得、実数値または複素数値であり得る１つの変調シンボルを送るために使用され得る。各シンボル期間中に基準信号のために使用されないリソース要素は、リソース要素グループ（ＲＥＧ：resource element group）に構成され得る。各ＲＥＧは、４つのリソース要素を１つのシンボル期間中に含み得る。ＰＣＦＩＣＨは、シンボル期間０において、周波数上でほぼ等しく離間され得る、４つのＲＥＧを占有し得る。ＰＨＩＣＨは、１つまたは複数の構成可能なシンボル期間において、周波数上で拡散され得る、３つのＲＥＧを占有し得る。たとえば、ＰＨＩＣＨ用の３つのＲＥＧは、すべてシンボル期間０中に属するか、またはシンボル期間０、１および２中で拡散され得る。ＰＤＣＣＨは、最初のＭ個のシンボル期間において、利用可能なＲＥＧから選択され得る、９、１８、３２または６４個のＲＥＧを占有し得る。ＲＥＧのいくつかの組合せのみがＰＤＣＣＨに対して可能にされ得る。
【００３５】
[0044]ＵＥは、ＰＨＩＣＨおよびＰＣＦＩＣＨのために使用される特定のＲＥＧを知り得る。ＵＥは、ＰＤＣＣＨのためのＲＥＧの様々な組合せを探索し得る。探索する組合せの数は、一般に、ＰＤＣＣＨに対して可能にされた組合せの数よりも少ない。ｅＮＢは、ＵＥが探索することになる組合せのいずれかにおいてＵＥにＰＤＣＣＨを送り得る。
【００３６】
[0045]ＵＥは、複数のｅＮＢのカバレージ内にあり得る。そのＵＥをサービスするために、これらのｅＮＢのうちの１つが選択され得る。サービングｅＮＢは、受信電力、経路損失、信号対雑音比（ＳＮＲ）など、様々な基準に基づいて選択され得る。
【００３７】
[0046]図３は、アップリンクロングタームエボリューション（ＬＴＥ／−Ａ）通信における例示的なフレーム構造３００を示すブロック図である。アップリンクのために利用可能なリソースブロック（ＲＢ）は、データセクションと制御セクションとに区分され得る。制御セクションは、システム帯域幅の２つのエッジにおいて形成され得、構成可能なサイズを有し得る。制御セクション中のリソースブロックは、制御情報を送信するためにＵＥに割り当てられ得る。データセクションは、制御セクション中に含まれないすべてのリソースブロックを含み得る。図３の設計は、データセクション中の連続するサブキャリアのすべてを単一のＵＥに割り当てることを可能にし得る連続サブキャリアを含むデータセクションを生じる。
【００３８】
[0047]ＵＥには、ｅＮＢに制御情報を送信するために制御セクション中のリソースブロックが割り当てられ得る。ＵＥは、ｅノードＢにデータを送信するためにデータセクション中のリソースブロックも割り当てられ得る。ＵＥは、制御セクション中の割り当てられたリソースブロック３１０ａおよび３１０ｂ上の物理アップリンク制御チャネル（ＰＵＣＣＨ：Physical Uplink Control Channel）中で制御情報を送信し得る。ＵＥは、データセクション中の割り当てられたリソースブロック３２０ａおよび３２０ｂ上の物理アップリンク共有チャネル（ＰＵＳＣＨ：Physical Uplink Shared Channel）中でデータのみまたはデータと制御情報の両方を送信し得る。アップリンク送信は、サブフレームの両方のスロットにわたり得、図３に示すように周波数上でホッピングし得る。
【００３９】
[0048]再び図１を参照すると、ワイヤレスネットワーク１００は、システムの単位面積当たりのスペクトル効率を改善するために、ｅＮＢ１１０の多様なセット（すなわち、マクロｅＮＢ、ピコｅＮＢ、フェムトｅＮＢ、およびリレー）を使用する。ワイヤレスネットワーク１００は、それのスペクトルカバレージのためにそのような異なるｅＮＢを使用するので、それは異種ネットワークと呼ばれることもある。マクロｅＮＢ１１０ａ〜ｃは、通常、ワイヤレスネットワーク１００のプロバイダによって慎重に計画され、配置される。マクロｅＮＢ１１０ａ〜ｃは、概して、高電力レベル（たとえば、５Ｗ〜４０Ｗ）で送信する。ピコｅＮＢ１１０ｘおよび中継局１１０ｒは、概して、かなり低い電力レベル（たとえば、１００ｍＷ〜２Ｗ）で送信し、マクロｅＮＢ１１０ａ〜ｃによって与えられたカバレージエリア中のカバレージホールを除去し、ホットスポットにおける容量を改善するために比較的無計画に展開され得る。とはいえ、一般にワイヤレスネットワーク１００とは無関係に展開されるフェムトｅＮＢ１１０ｙ〜ｚは、それらの（１人または複数の）管理者によって許可された場合、ワイヤレスネットワーク１００への潜在的なアクセスポイントとして、または少なくとも、リソース協調および干渉管理の協調を実行するためにワイヤレスネットワーク１００の他のｅＮＢ１１０と通信し得る、アクティブでアウェアなｅＮＢとしてのいずれかで、ワイヤレスネットワーク１００のカバレージエリアに組み込まれ得る。フェムトｅＮＢ１１０ｙ〜ｚはまた、一般に、マクロｅＮＢ１１０ａ〜ｃよりもかなり低い電力レベル（たとえば、１００ｍＷ〜２Ｗ）で送信する。
【００４０】
[0049]ワイヤレスネットワーク１００など、異種ネットワークの動作では、各ＵＥは、通常、より良い信号品質をもつｅＮＢ１１０によってサービスされ、他のｅＮＢ１１０から受信した不要な信号は干渉として扱われる。そのような動作長は、著しく準最適なパフォーマンスをもたらすことがあるが、ｅＮＢ１１０の間のインテリジェントリソース協調と、より良いサーバ選択ストラテジと、効率的な干渉管理のためのより高度の技法とを使用することによって、ワイヤレスネットワーク１００においてネットワークパフォーマンスの利得が実現される。
【００４１】
[0050]ピコｅＮＢ１１０ｘなどのピコｅＮＢは、マクロｅＮＢ１１０ａ〜ｃなどのマクロｅＮＢと比較したとき、かなり低い送信電力によって特徴づけられる。ピコｅＮＢはまた、通常、ワイヤレスネットワーク１００などのネットワークの周りにアドホックに配置される。この無計画展開のために、ワイヤレスネットワーク１００など、ピコｅＮＢ配置をもつワイヤレスネットワークは、カバレージエリアまたはセルのエッジ上のＵＥ（「セルエッジ」ＵＥ）への制御チャネル送信のためのより困難なＲＦ環境に役立つことができる、低信号対干渉状態をもつ大きいエリアを有することが予想され得る。さらに、マクロｅＮＢ１１０ａ〜ｃの送信電力レベルとピコｅＮＢ１１０ｘの送信電力レベルとの間の潜在的に大きい格差（たとえば、約２０ｄＢ）は、混合展開において、ピコｅＮＢ１１０ｘのダウンリンクカバレージエリアがマクロｅＮＢ１１０ａ〜ｃのそれよりもはるかに小さいことを暗示する。
【００４２】
[0051]しかしながら、アップリンクの場合、アップリンク信号の信号強度は、ＵＥによって支配され、したがって、どのタイプのｅＮＢ１１０によって受信されたときでも同様である。ｅＮＢ１１０のためのアップリンクカバレージエリアがほぼ同じまたは同様であれば、チャネル利得に基づいてアップリンクハンドオフ境界が判断されることになる。これは、ダウンリンクハンドオーバ境界とアップリンクハンドオーバ境界との間の不一致をもたらし得る。追加のネットワーク適応がなければ、不一致により、ワイヤレスネットワーク１００におけるサーバ選択またはｅＮＢへのＵＥの関連付けは、ダウンリンクハンドオーバ境界とアップリンクハンドオーバ境界とがより厳密に一致するマクロｅＮＢ専用同種ネットワークにおけるよりも困難になるであろう。
【００４３】
[0052]サーバ選択が主にダウンリンク受信信号強度に基づく場合、ワイヤレスネットワーク１００などの異種ネットワークの混合ｅＮＢ展開の有用性は大幅に減少されよう。これは、マクロｅＮＢ１１０ａ〜ｃのより高いダウンリンク受信信号強度が、利用可能なすべてのＵＥを引きつけ、ピコｅＮＢ１１０ｘはそれのはるかに弱いダウンリンク送信電力のためにどのＵＥをもサービスしないことがあるので、マクロｅＮＢ１１０ａ〜ｃなど、より高電力のマクロｅＮＢのより大きいカバレージエリアが、ピコｅＮＢ１１０ｘなどのピコｅＮＢを用いてセルカバレージを分割することの利点を限定するためである。さらに、マクロｅＮＢ１１０ａ〜ｃは、それらのＵＥを効率的にサービスするのに十分なリソースを有しない可能性がある。したがって、ワイヤレスネットワーク１００は、ピコｅＮＢ１１０ｘのカバレージエリアを拡大することによってマクロｅＮＢ１１０ａ〜ｃとピコｅＮＢ１１０ｘとの間で負荷をアクティブに分散させようと試みる。この概念はセル範囲拡大（ＣＲＥ）と呼ばれる。
【００４４】
[0053]ワイヤレスネットワーク１００は、サーバ選択を判断する方法を変更することによってＣＲＥを達成する。サーバ選択がダウンリンク受信信号強度に基づく代わりに、選択はダウンリンク信号の品質に一層基づく。１つのそのような品質ベースの判断では、サーバ選択は、ＵＥに最小の経路損失を与えるｅＮＢを判断することに基づき得る。さらに、ワイヤレスネットワーク１００は、マクロｅＮＢ１１０ａ〜ｃとピコｅＮＢ１１０ｘとの間にリソースの固定の区分を与える。しかしながら、このアクティブな負荷分散を伴う場合でも、ピコｅＮＢ１１０ｘなどのピコｅＮＢによってサービスされるＵＥに対するマクロｅＮＢ１１０ａ〜ｃからのダウンリンク干渉は緩和されるべきである。これは、ＵＥにおける干渉消去、ｅＮＢ１１０間のリソース協調などを含む様々な方法によって達成され得る。
【００４５】
[0054]ワイヤレスネットワーク１００など、セル範囲拡大を用いる異種ネットワークでは、ＵＥが、マクロｅＮＢ１１０ａ〜ｃなどのより高電力のｅＮＢから送信されたより強いダウンリンク信号の存在下でピコｅＮＢ１１０ｘなどのより低電力のｅＮＢからサービスを取得するために、ピコｅＮＢ１１０ｘは、マクロｅＮＢ１１０ａ〜ｃのうちの支配的干渉マクロｅＮＢとの制御チャネルおよびデータチャネル干渉協調に関与する。干渉を管理するために、干渉協調のための多くの異なる技法が採用され得る。たとえば、同一チャネル（co-channel）展開中のセルからの干渉を低減するために、セル間干渉協調（ＩＣＩＣ：inter-cell interference coordination）が使用され得る。１つのＩＣＩＣ機構は適応リソース区分（adaptive resource partitioning）である。適応リソース区分は、いくつかのｅＮＢにサブフレームを割り当てる。第１のｅＮＢに割り当てられたサブフレーム中ではネイバーｅＮＢが送信しない。したがって、第１のｅＮＢによってサービスされるＵＥが受ける干渉が低減される。サブフレーム割当ては、アップリンクとダウンリンクの両方のチャネル上で実行され得る。
【００４６】
[0055]たとえば、サブフレームは、保護サブフレーム（Ｕサブフレーム）と、禁止サブフレーム（Ｎサブフレーム）と、共通サブフレーム（Ｃサブフレーム）とのサブフレームの３つのクラスの間で割り振られ得る。保護サブフレームは、第１のｅＮＢによって排他的に使用するために第１のｅＮＢに割り当てられる。保護サブフレームは、隣接ｅＮＢからの干渉がないことに基づき「クリーン」サブフレームと呼ばれることもある。禁止サブフレームはネイバーｅＮＢに割り当てられたサブフレームであり、第１のｅＮＢは、禁止サブフレーム中でデータを送信することを禁止される。たとえば、第１のｅＮＢの禁止サブフレームは、第２の干渉ｅＮＢの保護サブフレームに対応し得る。したがって、第１のｅＮＢは、第１のｅＮＢの保護サブフレーム中でデータを送信する唯一のｅＮＢである。共通サブフレームは、複数のｅＮＢによってデータ送信のために使用され得る。共通サブフレームは、他のｅＮＢからの干渉の可能性があるため「非クリーン」サブフレームと呼ばれることもある。
【００４７】
[0056]期間ごとに少なくとも１つの保護サブフレームが静的に割り当てられる。場合によっては、ただ１つの保護サブフレームが静的に割り当てられる。たとえば、期間が８ミリ秒である場合、８ミリ秒ごとに１つの保護サブフレームがｅＮＢに静的に割り当てられ得る。他のサブフレームが動的に割り振られ得る。
【００４８】
[0057]適応リソース区分情報（ＡＲＰＩ：adaptive resource partitioning information）は、非静的に割り当てられたサブフレームが動的に割り振られることを可能にする。保護、禁止、共通の任意のサブフレームが動的に割り振られ得る（それぞれ、ＡＵ、ＡＮ、ＡＣサブフレーム）。動的割当ては、たとえば、１００ミリ秒ごとにまたはそれ以下などで、急速に変化し得る。
【００４９】
[0058]異種ネットワークは、異なる電力クラスのｅＮＢを有し得る。たとえば、３つの電力クラスが、電力クラスの高いものから順に、マクロｅＮＢ、ピコｅＮＢ、およびフェムトｅＮＢとして定義され得る。マクロｅＮＢとピコｅＮＢとフェムトｅＮＢとが同一チャネル展開中にあるとき、マクロｅＮＢ（アグレッサｅＮＢ）の電力スペクトル密度（ＰＳＤ：power spectral density）は、ピコｅＮＢおよびフェムトｅＮＢ（ビクティムｅＮＢ）のＰＳＤよりも大きくなり、ピコｅＮＢおよびフェムトｅＮＢとの大量の干渉を生じ得る。ピコｅＮＢおよびフェムトｅＮＢとの干渉を低減するかまたは最小限に抑えるために、保護サブフレームが使用され得る。すなわち、アグレッサｅＮＢ上の禁止サブフレームに対応するように、ビクティムｅＮＢに対して保護サブフレームがスケジュールされ得る。
【００５０】
[0059]図４は、本開示の一態様による、異種ネットワークにおける時分割多重（ＴＤＭ）区分を示すブロック図である。ブロックの第１の行はフェムトｅＮＢのためのサブフレーム割当てを示し、ブロックの第２の行はマクロｅＮＢのためのサブフレーム割当てを示している。ｅＮＢの各々が静的保護サブフレームを有する間、他方のｅＮＢは静的禁止サブフレームを有する。たとえば、フェムトｅＮＢは、サブフレーム０中の禁止サブフレーム（Ｎサブフレーム）に対応して、サブフレーム０中の保護サブフレーム（Ｕサブフレーム）を有する。同様に、マクロｅＮＢは、サブフレーム７中の禁止サブフレーム（Ｎサブフレーム）に対応して、サブフレーム７中の保護サブフレーム（Ｕサブフレーム）を有する。サブフレーム１〜６は、保護サブフレーム（ＡＵ）、禁止サブフレーム（ＡＮ）、および共通サブフレーム（ＡＣ）のいずれかとして動的に割り当てられる。サブフレーム５および６中の動的に割り当てられた共通サブフレーム（ＡＣ）中に、フェムトｅＮＢとマクロｅＮＢの両方がデータを送信し得る。
【００５１】
[0060]保護サブフレーム（Ｕ／ＡＵサブフレームなど）では、アグレッサｅＮＢが送信を禁止されるので、干渉が低減され、チャネル品質が高い。禁止サブフレーム（Ｎ／ＡＮサブフレームなど）では、ビクティムｅＮＢが干渉レベルの低いデータを送信できるように、データが送信されない。共通サブフレーム（Ｃ／ＡＣサブフレームなど）では、チャネル品質は、データを送信するネイバーｅＮＢの数に依存する。たとえば、ネイバーｅＮＢが共通サブフレーム上でデータを送信する場合、共通サブフレームのチャネル品質は保護サブフレームよりも低くなり得る。共通サブフレーム上のチャネル品質はまた、アグレッサｅＮＢによって強く影響を及ぼされる拡張境界エリア（ＥＢＡ：extended boundary area）ＵＥではより低くなり得る。ＥＢＡ  ＵＥは、第１のｅＮＢに属し得るが、第２のｅＮＢのカバレージエリア中にも位置し得る。たとえば、フェムトｅＮＢカバレージの範囲限界の近くにあるマクロｅＮＢと通信しているＵＥは、ＥＢＡ  ＵＥである。
【００５２】
[0061]ＬＴＥ／−Ａにおいて採用され得る別の例示的な干渉管理方式は、低速適応（slowly-adaptive）干渉管理である。この手法を干渉管理に使用すると、スケジューリング間隔よりもはるかにより大きい時間スケールにわたってリソースがネゴシエートされ、割り振られる。本方式の目的は、ネットワークの総ユーティリティを最大にする、時間または周波数リソースのすべてにわたる、送信ｅＮＢおよびＵＥのすべてのための送信電力の組合せを発見することである。「ユーティリティ」は、ユーザデータレート、サービス品質（ＱｏＳ）フローの遅延、および公平性メトリックの関数として定義され得る。そのようなアルゴリズムは、最適化を解決するために使用される情報のすべてにアクセスでき、送信エンティティのすべてを制御する中央エンティティによって計算され得る。この中央エンティティは、常に実際的であるとは限らず、さらには望ましいとは限らないことがある。したがって、代替態様では、ノードのあるセットからのチャネル情報に基づいてリソース使用状況決定を行う分散アルゴリズムが使用され得る。したがって、低速適応干渉アルゴリズムは、中央エンティティを使用するか、またはネットワーク中のノード／エンティティの様々なセットにわたってアルゴリズムを配信することによってのいずれかで展開され得る。
【００５３】
[0062]ワイヤレスネットワーク１００など、異種ネットワークの展開では、ＵＥは、ＵＥが１つまたは複数の干渉ｅＮＢからの高い干渉を観測し得る支配的干渉シナリオにおいて動作し得る。支配的干渉シナリオは、制限された関連付けにより発生し得る。たとえば、図１では、ＵＥ１２０ｙは、フェムトｅＮＢ１１０ｙに近接し得、ｅＮＢ１１０ｙについて高い受信電力を有し得る。しかしながら、ＵＥ１２０ｙは、制限された関連付けによりフェムトｅＮＢ１１０ｙにアクセスすることができないことがあり、次いで、（図１に示すように）マクロｅＮＢ１１０ｃまたはやはりより低い受信電力をもつフェムトｅＮＢ１１０ｚ（図１に図示せず）に接続し得る。その場合、ＵＥ１２０ｙは、ダウンリンク上でフェムトｅＮＢ１１０ｙからの高い干渉を観測し得、また、アップリンク上でｅＮＢ１１０ｙに高い干渉を引き起こし得る。協調干渉管理を使用すると、ｅＮＢ１１０ｃとフェムトｅＮＢ１１０ｙとは、リソースをネゴシエートするためにバックホール１３４を介して通信し得る。ネゴシエーションにおいて、フェムトｅＮＢ１１０ｙは、それのチャネルリソースの１つの上での送信を中止することに同意し、それにより、ＵＥ１２０ｙがその同じチャネルを介してｅＮＢ１１０ｃと通信するときと同程度の、フェムトｅＮＢ１１０ｙからの干渉を、ＵＥ１２０ｙが受けないようにする。
【００５４】
[0063]そのような支配的干渉シナリオでは、ＵＥと複数のｅＮＢとの間の距離が異なるために、ＵＥにおいて観測される信号電力の相異に加えて、同期システム中でもＵＥによってまたダウンリンク信号のタイミング遅延が観測され得る。同期システム中のｅＮＢは、推論上、システムにわたって同期される。しかしながら、たとえば、マクロｅＮＢから５ｋｍの距離にあるＵＥについて考察すると、そのマクロｅＮＢから受信したダウンリンク信号の伝搬遅延は、約１６．６７μｓ（５ｋｍ÷３×１０8（すなわち、光速、「ｃ」））遅延されるであろう。マクロｅＮＢからのそのダウンリンク信号を、はるかに近いフェムトｅＮＢからのダウンリンク信号と比較すると、タイミング差は有効期間（ＴＴＬ：time-to-live）エラーのレベルに近づく可能性がある。
【００５５】
[0064]さらに、そのようなタイミング差は、ＵＥにおける干渉消去に影響を及ぼし得る。干渉消去は、同じ信号の複数のバージョンの組合せ間の相互相関特性をしばしば使用する。同じ信号の複数のコピーを組み合わせることによって、おそらく信号の各コピー上に干渉があることになるが、それがおそらく同じロケーションにはないことになるので、干渉はより容易に識別され得る。組み合わされた信号の相互相関を使用すると、実際の信号部分が判断され、干渉と区別され得、したがって干渉を消去することが可能になる。
【００５６】
[0065]図５に、図１中の基地局／ｅＮＢのうちの１つであり得る基地局／ｅＮＢ１１０および図１中のＵＥのうちの１つであり得るＵＥ１２０の設計のブロック図を示す。制限付き関連付けシナリオの場合、ｅＮＢ１１０は図１中のマクロｅＮＢ１１０ｃであり得、ＵＥ１２０はＵＥ１２０ｙであり得る。ｅＮＢ１１０はまた、ピコｅＮＢ１１０ｘなど、何らかの他のタイプの基地局であり得る。ｅＮＢ１１０は、アンテナ５３４ａ〜５３４ｔを装備し得、ＵＥ１２０は、アンテナ５５２ａ〜５５２ｒを装備し得る。
【００５７】
[0066]ｅＮＢ１１０において、送信プロセッサ５２０は、データソース５１２からデータを受信し、コントローラ／プロセッサ５４０から制御情報を受信し得る。制御情報は、ＰＢＣＨ、ＰＣＦＩＣＨ、ＰＨＩＣＨ、ＰＤＣＣＨなどのためのものであり得る。データは、ＰＤＳＣＨなどのためのものであり得る。送信プロセッサ５２０は、データと制御情報とを処理（たとえば、符号化およびシンボルマッピング）して、それぞれデータシンボルと制御シンボルとを取得し得る。送信プロセッサ５２０はまた、たとえば、ＰＳＳ、ＳＳＳ、およびセル固有基準信号のための基準シンボルを生成し得る。送信（ＴＸ）多入力多出力（ＭＩＭＯ）プロセッサ５３０は、適用可能な場合、データシンボル、制御シンボル、および／または基準シンボルに対して空間処理（たとえば、プリコーディング）を実行し得、出力シンボルストリームを変調器（ＭＯＤ）５３２ａ〜５３２ｔに与え得る。各変調器５３２は、（たとえば、ＯＦＤＭなどのために）それぞれの出力シンボルストリームを処理して、出力サンプルストリームを取得し得る。各変調器５３２はさらに、出力サンプルストリームを処理（たとえば、アナログへの変換、増幅、フィルタ処理、およびアップコンバート）して、ダウンリンク信号を取得し得る。変調器５３２ａ〜５３２ｔのダウンリンク信号は、それぞれアンテナ５３４ａ〜５３４ｔを介して送信され得る。
【００５８】
[0067]ＵＥ１２０において、アンテナ５５２ａ〜５５２ｒは、ｅＮＢ１１０からダウンリンク信号を受信し得、受信信号をそれぞれ復調器（ＤＥＭＯＤ）５５４ａ〜５５４ｒに与え得る。各復調器５５４は、それぞれの受信信号を調整（たとえば、フィルタ処理、増幅、ダウンコンバート、およびデジタル化）して、入力サンプルを取得し得る。各復調器５５４は、（たとえば、ＯＦＤＭなどのために）入力サンプルをさらに処理して、受信シンボルを取得し得る。ＭＩＭＯ検出器５５６は、すべての復調器５５４ａ〜５５４ｒから受信シンボルを取得し、適用可能な場合は受信シンボルに対してＭＩＭＯ検出を実行し、検出シンボルを与え得る。受信プロセッサ５５８は、検出シンボルを処理（たとえば、復調、デインターリーブ、および復号）し、ＵＥ１２０の復号されたデータをデータシンク５６０に与え、復号された制御情報をコントローラ／プロセッサ５８０に与え得る。
【００５９】
[0068]アップリンク上では、ＵＥ１２０において、送信プロセッサ５６４は、データソース５６２から（たとえば、ＰＵＳＣＨのための）データを受信し、処理し得、コントローラ／プロセッサ５８０から（たとえば、ＰＵＣＣＨのための）制御情報を受信し、処理し得る。送信プロセッサ５６４はまた、基準信号のための基準シンボルを生成し得る。送信プロセッサ５６４からのシンボルは、適用可能な場合はＴＸ  ＭＩＭＯプロセッサ５６６によってプリコードされ、さらに（たとえば、ＳＣ−ＦＤＭなどのために）復調器５５４ａ〜５５４ｒによって処理され、ｅＮＢ１１０に送信され得る。ｅＮＢ１１０において、ＵＥ１２０からのアップリンク信号は、アンテナ５３４によって受信され、変調器５３２によって処理され、適用可能な場合はＭＩＭＯ検出器５３６によって検出され、さらに受信プロセッサ５３８によって処理されて、ＵＥ１２０によって送られた復号されたデータおよび制御情報が取得され得る。プロセッサ５３８は、復号されたデータをデータシンク５３９に与え、復号された制御情報をコントローラ／プロセッサ５４０に与え得る。
【００６０】
[0069]コントローラ／プロセッサ５４０および５８０は、それぞれｅＮＢ１１０における動作およびＵＥ１２０における動作を指示し得る。ｅＮＢ１１０におけるコントローラ／プロセッサ５４０および／または他のプロセッサおよびモジュールは、本明細書で説明する技法のための様々なプロセスを実行するか、またはその実行を指示し得る。ＵＥ１２０におけるコントローラ／プロセッサ５８０および／または他のプロセッサとモジュールはまた、図８〜図９に示す機能ブロック、および／または本明細書で説明する技法のための他のプロセスを実行するか、またはその実行を指示し得る。メモリ５４２および５８２は、それぞれｅＮＢ１１０およびＵＥ１２０のためのデータおよびプログラムコードを記憶し得る。スケジューラ５４４は、ダウンリンク上および／またはアップリンク上でのデータ送信のためにＵＥをスケジュールし得る。
【００６１】
[0070]前記のように、ＵＥは、通常の動作において多種多様な干渉消去（ＩＣ）を実行し得る。ＵＥは、ＰＳＳおよびＳＳＳなどの同期信号、ＰＢＣＨからのブロードキャストチャネル干渉、共通基準信号（ＣＲＳ：common reference signal）などの共通信号、ＰＣＦＩＣＨ、ＰＨＩＣＨ、ＰＤＣＣＨからなどの制御チャネル干渉、ＰＤＳＣＨなどからのデータチャネル干渉などを消去し得る。ＰＤＳＣＨからのデータ干渉消去など、ある高帯域幅干渉の干渉消去では、ＵＥは帯域幅依存ＩＣ能力を有し得る。たとえば、ＰＤＳＣＨ干渉のＩＣでは、ＵＥは、信号のより大きい帯域幅にわたるＩＣの複雑さ制約のために、一定数のリソースブロック（ＲＢ）上のＩＣに限定され得る。
【００６２】
[0071]ＵＥは、これらのタイプのＩＣ処理の大部分を行うための能力を維持し得ると同時に、ＵＥは、無線状態（radio conditions）に基づいてこのＩＣ能力のいくつかを無効化し得る。その上、サービングｅＮＢがＵＥのＩＣ能力に気づいている場合、サービングｅＮＢは、この情報を使用して、ＵＥが電力消費量を管理するのを支援するか、あるいはダウンリンクまたはアップリンク送信スケジュールをより良くスケジュールするためにＵＥのＩＣ能力をなくす（account）および／または管理し得る。
【００６３】
[0072]本開示の一態様では、ＵＥは、ＵＥが経験している動作状態に基づいて様々なＩＣ能力を非アクティブにし得る。動作状態は、ＵＥから見た無線状態、ＵＥのバッテリー電力レベル、電力消費レートなどの状態であり得る。たとえば、バッテリー電力が極めて低い場合、ＵＥは、数個を除くすべてのＩＣ能力を非アクティブにすることを判断するか、または単にＵＥのＩＣ能力のすべてを非アクティブにしさえし得る。別の例では、無線状態があまり干渉がなく極めて良好である場合、ＵＥは、データＩＣ、制御チャネルＩＣを非アクティブにすることを判断するが、同期信号ＩＣおよびＣＲＳ  ＩＣを維持し得る。
【００６４】
[0073]代替的に、ＵＥは、検出された動作状態に基づいてＵＥのＩＣ能力のうちのどれを維持および／または非アクティブにすべきかを選択し得、ＵＥは、ＵＥの現在選択されているＩＣ能力をＵＥがどのように基地局に報告するかを調整し得る。
【００６５】
[0074]ＵＥのＩＣ能力をさらに管理するために、ＵＥはそれのＩＣ能力を様々なグループに分割し得る。これらのグループは、単純なまたはランダムなグループであるか、または論理グループでもあり得る。たとえば、第１の能力グループは、ＰＳＳ、ＳＳＳ、ＰＢＣＨ、ＣＲＳなどのＩＣなど、共通チャネルＩＣを含み得る（グループ１）。第２の能力グループは、ＰＣＦＩＣＨ、ＰＨＩＣＨ、およびＰＤＣＣＨなどのＩＣなど、制御チャネルＩＣを含み得る（グループ２）。第３の能力グループは、ＰＤＳＣＨ干渉のＩＣなど、データチャネルＩＣを含み得る（グループ３）。ＵＥのＩＣ能力が定義グループに分割された場合、ＵＥは、所与のＵＥが、能力グループ１、２、および３、または能力グループ１、２、および３の何らかの組合せを使用することをｅＮＢにシグナリングし得るように、ＵＥの定義グループに基づいてＵＥのＩＣ能力をｅＮＢにシグナリングし得る。代替的に、ＵＥは、ＩＣクラスに基づいてＵＥの能力を定義し得、それにより、クラス１は、グループ１に関連する能力を含み、クラス２は、グループ１およびグループ２に関連する能力を含み、以下同様である。能力のグループおよびクラスならびにそれらのそれぞれのグラニュラリティ（granularity）の数はまた、実装形態に基づいて変化し得る。
【００６６】
[0075]再び図１を参照すると、マクロセル１０２ｂは、マクロｅＮＢ１１０ｂと、ピコｅＮＢ１１０ｘとを含む。マクロセル１０２ｂは、それのうちの１つがピコセル１０２ｘ内に配設された範囲拡大ＵＥ１２０ｘである複数のＵＥ１２０をさらに含む。特定のＵＥは、それが特定のピコノードのＣＲＥエリア内に位置するとき、範囲拡大ＵＥと呼ばれる。ＵＥ１２０ｘが、セル１０２ｂ内のデバイス（たとえば、ｅＮＢ１１０ｂ、セル１０２ｂ内の他のＵＥなど）からのセル内干渉（intra-cell interference）、およびマクロｅＮＢ１１０ｃなど、他のデバイスからのセル間干渉などの複数の干渉源にさらされることを諒解されたい。現在ＵＥは、上記で説明したこれらの様々なソースによって引き起こされる干渉を処理するために、様々な技法を採用する。たとえば、ＵＥは、１つまたは複数のセルからの干渉がＵＥにおいて推定され／復号され、次いで、消去される制御およびデータＩＣ方法を利用するように構成され得る。これらの方法は、ＵＥから見た総干渉を低減し、全体的なＵＥスループットを改善する。そのようなＩＣ方法は、受信プロセッサ５５８、送信プロセッサ５６４、コントローラプロセッサ５８０などの１つまたは複数の処理リソースを使用して（図５のＵＥ１２０などの）ＵＥ内に実装され得る。
【００６７】
[0076]本出願の態様は、マクロノードによって使用されるリソース上で、ピコノードによって、データ／制御ＩＣ対応範囲拡大ＵＥの共同スケジューリング（co-scheduling）を与え得る。そのような共同スケジューリングを利用することによって、マクロノードがピコノードにどのリソースも譲渡しないこと（またはより少なく譲渡すること）を可能にしながら、効率的な範囲拡大が実装され得る。さらに、態様は、電力と、ピコ被サービスＵＥ（pico served UEs）へのマクロノード送信によって作成される干渉の他の特性（たとえば容易に消去され得るデータ信号）とを制御するために、マクロノード間の静的または動的協調を与え得る。
【００６８】
[0077]以下の例示的な態様について説明するときに、時間におけるリソースのユニットを示すために、「サブフレーム」という用語が使用されることに留意されたい。サブフレームという用語はまた、（周波数における）サブバンドなどのリソースの任意の他のユニット、またはそのようなユニットタイプの組合せに適用され得る。
【００６９】
[0078]本開示では、ピコアクセスポイント、フェムトアクセスポイント、リレー、リモートラジオヘッド（ＲＲＨ）など、任意のタイプのより低電力のノードまたはアクセスポイントを指すために、ピコノードが使用されることにさらに留意されたい。
【００７０】
[0079]ＵＥによる制御／データＩＣがない場合、マクロノードは、通常、いくつかのサブフレーム上で制御／データを送信しない。そのようなフレームは、それらがブランクであり得、あるいはパイロット信号または他の基準信号を含み得るので、オールモストブランクサブフレーム（ＡＢＳ：almost blank subframe）と呼ばれる。たとえば、範囲拡大シナリオでは、８つのサブフレームのうち４つがＡＢＳとしてマークされ得る。この事例では、マクロＵＥは、時間の５０パーセントの間（たとえば、ＡＢＳ中）しばしばスケジュールされず、ピコ範囲拡大ＵＥは、時間の残りの５０パーセントの間しばしばスケジュールされない。
【００７１】
[0080]しかしながら、範囲拡大ＵＥが制御／データＩＣ対応である場合、いくつかの態様では、ＡＢＳは擬似ＡＢＳに変換され得る。これを行うために、マクロノードの動作特性に従って複数のマクロセットが指定される。動作特性は、ＵＥによって消去可能である方法で通信を分割する何らかの特性を含み得る。たとえば、マクロセットは、セクタ、アンテナの指定されたグループなどに基づいて形成され得る。マクロノードに対応するセクタは、図６に関して以下で説明するマクロセットに区分され得る。擬似ＡＢＳは、マクロセットのうちの１つまたは複数からのデータを含み得、送信されているデータに１つまたは複数の特殊な制限を加え得る。たとえば、データは、送信のランクまたは優先度（たとえば、ランク１のみ）、送信モード（たとえば、ＴＭ３のみまたはＴＭ３／４のみ）、トラフィック対パイロット比（たとえば、０ｄＢのＴＰＲのみ）、送信の変調およびコーディング方式（たとえば、６４ＱＡＭ送信禁止）などによって制限され得る。
【００７２】
[0081]図６は、本開示の一態様による、六角形展開のためのマクロセット６０６〜６０８の例示的なレイアウトを概念的に示すブロック図６００である。この例では、マクロノード６０１のカバレージエリア６０２が、六角形セクタ、たとえば、セクタ６０３〜６０５に分割される。セクタ６０３〜６０５は、異なるハッチングパターンのシェーディングを用いて表されている。各ハッチングパターンは、異なるマクロセット、マクロセット６０６〜６０８を表す。同じハッチングパターンを有する各セクタは、同じマクロセットに属する。したがって、図示された例は、セクタ６０３〜６０５の３つの異なるハッチングパターンに対応する３つのマクロセット６０６〜６０８を含む。しかしながら、３つのマクロセット、マクロセット６０６〜６０８は例のために利用されており、いくつかの態様では、より大きいまたはより小さい数のマクロセットが使用され得ることに留意されたい。利用されたセットの数はマクロノード、ピコノードおよび／または範囲拡大ＵＥのうちの１つまたは複数の能力の関数であり得ることを諒解されたい。
【００７３】
[0082]図７は、本開示の一態様による、図６のマクロセット６０６〜６０８のためのサブフレーム割当て構成の例示的なレイアウトを概念的に示すブロック図７００である。行７０１では、８つのサブフレームのうち７つが擬似ＡＢＳであり、最後のサブフレームが従来のＡＢＳである８つのサブフレームが図示されている。行７０１では、８つのサブフレームのうち最初の４つは、アクティブであるマクロセット６０６〜６０８の各々を含む（たとえば、通常、上記で説明した例では非ＡＢＳであろうサブフレーム）。行７０１の次の３つのサブフレームは、アクティブなマクロセット６０６〜６０８のうちの２つのみを有する。さらに、行７０１の最終サブフレームでは、すべてのマクロセットがサイレントである。
【００７４】
[0083]したがって、行７０１について、マクロノードによってサービスされるＵＥは最初の７つのサブフレームを利用し得、マクロノードは、第５〜第７のサブフレーム中で特定のマクロセットのための送信を選択的にスケジュールし得る。さらに、ＩＣ対応である範囲拡大ＵＥは、行７０１のすべてのサブフレームを利用し得る。ＵＥは、ブロードキャストされるマクロセットのうちのいずれかからの干渉を消去するために、ＩＣ方法を利用することができる。マクロノードは、マクロサービスされるＵＥのためにそれのリソースのうちのより多くを利用し得、一方、ピコノード上の範囲拡大ＵＥは、さもなければピコセル中心ＵＥにのみ専用とされたであろうサブフレームを利用することが依然として可能であるので、そのような構成はスループットの改善を実現する。
【００７５】
[0084]ブロック図７００の行７０２は代替構成を示す。この例では、最初の４つのサブフレームは、行７０１と同様に、アクティブであるすべてのマクロセット６０６〜６０８を有する。さらに、行７０２の次の３つのサブフレームは、この例では、マクロセット６０６〜６０８のうちの１つのみを利用するように図示されている。これらのサブフレーム中でのマクロセット６０６〜６０８のうちの１つのみの使用は、たとえば、範囲拡大ＵＥが、それがマクロセット６０６〜６０８のうちのアクティブな１つからの信号を消去するために利用し得る限定されたＩＣ能力を有する状況では、複数の理由のために有利になり得る。
【００７６】
[0085]行７０３〜７０５に、使用され得る追加の例示的なリソース区分方式を示すさらなる構成を示す。リソースの区分が、特定の使用、様々なノードの能力、ＵＥなどに少なくとも部分的に依存するかまたは基づき得ることを認識されたい。さらに、実施形態は、擬似ＡＢＳと非ＡＢＳ、および擬似ＡＢＳと非ＡＢＳと従来のＡＢＳを含む組合せサブフレームを利用し得る。したがって、態様は、必ずしもこれらのサブフレームの特定の構成に限定されるとは限らない。
【００７７】
[0086]干渉物（interferer）の数が増加すると、概して、各干渉物の消去の品質が低下するので、確実に消去され得る干渉物の数は一般に小さいことに留意されたい。その上、実装複雑さおよび電力消費は、ＵＥが、通常、固定数以上の干渉物を消去することができないことを規定し得る。そのような一般的なシナリオでは、ＵＥがそれの上で支配的干渉物のサブセットを確実に消去することができるサブフレームについてピコ範囲拡大ＵＥをスケジュールすることが好適であり得、一方、ＵＥが消去することが可能でないことがある残りの支配的干渉物はサイレントである。これは、所与のサブフレーム上のアクティブであるマクロセットの数を制限することによって可能にされる。ネットワークによって選択される構成は、いくつかの態様では、主に、（ａ）ＵＥが消去することができる干渉物の数（ネットワークに依存しないＵＥ固有能力など）、および（ｂ）ピコ範囲拡大ＵＥから見た支配的マクロ干渉物の数（ネットワーク中のＵＥのロケーションに依存する数など）という、２つのファクタによって影響を及ぼされ得る。一例として図６を使用すると、マクロセットは、この例では、異なるハッチングパターンに区分されると見なされ得る。３つの支配的干渉物を経験する、１つの干渉物消去能力をもつピコセル範囲拡大ＵＥについて考え、各干渉物は異なるハッチングパターンのマクロセットに属する。このＵＥは、その場合、１つ以下のマクロセットがその上でアクティブであるサブフレーム上にスケジュールされる。それらのうちの２つは第１のハッチングパターンであり、他の１つは第２のハッチングパターンである３つの干渉物を経験し、１つの干渉物を消去することが可能である別のＵＥについて考える。このＵＥは、第１のハッチングパターンマクロセットがその上で非アクティブであるいずれかのサブフレーム上にスケジュールされ得る。同じくそれらのうちの２つは第１のハッチングパターンであり、１つは第２のハッチングパターンである３つの干渉物を経験する第３のＵＥについて考えるが、ＵＥは２つの干渉物を消去する能力を有する。このＵＥはいずれかのサブフレーム上にスケジュールされ得、第１のハッチングパターンマクロセットと第２のハッチングパターンマクロセットの両方がアクティブでない。ネットワークは、ＵＥ消去能力の知識およびネットワーク中のＵＥから見た干渉物の数に基づいて、構成を選び、次いで、適切なサブフレーム中でＵＥ（マクロＵＥ、標準的なカバレージエリア内のピコＵＥ、ピコ範囲拡大ＵＥ）をスケジュールし得る。
【００７８】
[0087]一態様では、それは、マクロノードによって使用されるマクロセットの数であり、それらがどのように送信され得るかは事前決定され得る。別の態様では、マクロノードは、マクロセットの数を判断し、どのセットがどのサブフレーム上でブロードキャストされることになるかを判断し得る。この判断は、ピコノード、ＵＥなどのうちの１つまたは複数に関して得られた情報に照らして行われ得る。たとえば、ＵＥがＩＣ能力を限定した場合、マクロノードは、この情報を受信し、範囲拡大ＵＥがマクロノードからの干渉を消去することを可能にするために、１つまたは複数のサブフレーム中でより少ないマクロセットを利用することを判断し得る。逆に、ＵＥがより大きいＩＣ能力を有する場合、これらの信号を補償するＵＥの能力を維持しながら、サブフレーム中でより多くのマクロセットが利用され得る。
【００７９】
[0088]一態様では、マクロノードのセクタは、ＵＥの支援を受けて区分され得ることに留意されたい。たとえば、ＵＥは、マクロノードに、どの干渉物が支配的であるか、およびＵＥがいくつの干渉物を消去することができるかに関する情報を（直接またはピコノードを介してのいずれかで）与え得る。範囲拡大ＵＥからのマクロセクタの広帯域基準信号電力（ＷＲＳＲＰ：Wide-band reference signal power）測定値も利用され得る。
【００８０】
[0089]一態様では、ネットワークは、次いで、１つまたは複数の範囲拡大ＵＥについて、支配的なＫ個（たとえば、上記の例ではＫ＝３）の干渉物が異なるセットに属するように、マクロセクタをＫ個のセットに区分し得る。いくつかの例示的な実装形態では、マクロセットの数および作成された選定された構成は、ＵＥの分布、消去され得る干渉物の数など１つまたは複数のファクタに応じて半静的に変化し得ることに留意されたい。
【００８１】
[0090]さらに、性能および複雑さの問題が、いくつかの態様では、ＵＥによって消去され得る支配的干渉物の数を限定することがある。範囲拡大ＵＥは、それの支配的干渉物がそれの上でサイレントであるか、アクティブであり、ＵＥによって消去され得るかのいずれかであるサブフレーム上にスケジュールされ得る。マクロセット構成は半静的ベースで変化し得るので、いくつかの例示的な態様では、構成変化後、ＵＥは、ｅＮＢに、新しいマクロセット構成でのそれの好適なサブフレームを示し得る。この指示は、レガシー通信チャネルを介して達成され得るか、または特別に構成された報告（たとえば、チャネル品質インジケータ報告）を介して達成され得る。ｅＮＢはまた、ＷＲＳＲＰ測定値を使用して、ＵＥの好適なサブフレームを判断し得る。
【００８２】
[0091]したがって、本開示の態様は、範囲拡大要素を使用する異種ネットワークにおいてスループットを増加するための多くの利点を与える。マクロセットを有する擬似ＡＢＳの使用と、上記で説明したようにそれらのサブフレームを区分することとは、マクロノードのリソースのより良い、より粒度の細かい使用を与える。さらに、特定のサブフレーム上のアクティブマクロセットと、ＵＥが消去することができる干渉物の数とのうちの１つまたは複数を考慮しながら、リソース／サブフレーム上に範囲拡大ＵＥをスケジュールすることは、範囲拡大ＵＥが、マクロノードからのリソースの完全なパーティションを必要とすることなしにピコノードを利用することを可能にする。
【００８３】
[0092]本明細書で図示および説明する例示的なシステムに鑑みて、開示する主題に従って実装され得る方法は、様々な機能ブロック図を参照すればより良く諒解されよう。説明を簡単にするために、方法を一連の行為／ブロックとして図示および説明するが、いくつかのブロックは、本明細書で図示および説明する順序とは異なる順序で、ならびに／または他のブロックと実質的に同時に行われ得るので、特許請求された主題はブロックの数または順序によって限定されないことを理解し、諒解されたい。その上、本明細書で説明する方法を実装するために、図示されたすべてのブロックが必要とされるとは限らない。ブロックに関連する機能は、ソフトウェア、ハードウェア、それらの組合せあるいは任意の他の好適な手段（たとえば、デバイス、システム、プロセス、または構成要素）によって実装され得ることを諒解されたい。さらに、本明細書の全体にわたって開示する方法は、そのような方法を様々なデバイスに移送および転送することを可能にするために製造品に記憶されることが可能であることをさらに諒解されたい。方法は、代替的に、状態図など、一連の相互に関係する状態またはイベントとして表現され得ることを、当業者は理解し、諒解するであろう。
【００８４】
[0093]本明細書で説明する態様のうちの１つまたは複数の態様によれば、図８を参照すると、ワイヤレス通信を可能にするためのネットワークデバイスによって動作可能な方法８００が示されている。一態様では、方法８００を実装するためにｅＮＢ１１０が利用され得ることに留意されたい。詳細には、方法８００内の処理ブロックは、送信プロセッサ５２０、コントローラ／プロセッサ５４０、受信プロセッサ５３８およびスケジューラ５４４など、ｅＮＢ１１０の様々な処理リソースのうちの１つまたは複数によって実装され得る。さらに、実施形態は、マクロｅＮＢおよびピコｅＮＢなど、互いに通信している複数のｅＮＢ１１０を利用し得る。
【００８５】
[0094]方法８００は、８０１において、マクロノードの動作特性に従って複数のマクロセットを形成することに関与し得る。さらに、方法８００は、８０２において、複数のマクロセットのうちの少なくとも１つのマクロセットを含む少なくとも１つの擬似ＡＢＳを形成することを含み得る。形成されたセクタおよび／またはマクロセットの数がワイヤレスネットワーク中のリソースの適用および分布に基づいて変動し得ることに留意されたい。同様に、擬似ＡＢＳ中に含まれるマクロセットの数は、適用（application）に基づいて変動し得る。たとえば、リソース拡大ＵＥが、ＩＣを実装するより大きい能力を有する場合、より大きい数のマクロセットが単一のサブフレーム中に含まれ得る。
【００８６】
[0095]さらに、方法８００は、８０３において、ピコノード、ユーザエンティティなどの様々なタイプのネットワークエンティティを含む範囲拡大リソースによって使用されることになるパーティションを与えるために複数のサブフレームを区分すること含み得、ここで、区分された複数のサブフレームのうちの少なくとも１つのサブフレームは、形成された擬似ＡＢＳのうちの少なくとも１つを含む。いくつかの態様では、範囲拡大リソースのためのパーティションはＡＢＳと擬似ＡＢＳの両方を含み得る。範囲拡大リソースのために区分されるフレームの量はまた、所望の実装形態に従って変動し得る。ピコノードとマクロノードとの間で必要とされるリソースの量に関する考慮は、そのような判断に影響を及ぼし得る。さらなる態様によれば、動作特性がマクロノードのセクタ化（sectorization）を含む場合、方法８００が、マクロノードに対応する複数のセクタを指定し得、ここにおいて、複数のマクロセットが、指定された複数のセクタに対応して形成されるなど、方法８００は追加の処理ブロックを含み得る。さらに、方法８００では、ピコノードが、擬似ＡＢＳ内でのユーザエンティティへの送信をスケジュールし得る。追加の態様はまた、範囲拡大ＵＥのプロパティに対応するデータ（ＩＣ能力、観測された信号に関する情報など）を受信することと、受信されたデータに少なくとも部分的に基づいて擬似ＡＢＳ中でどのマクロセットがアクティブになるかを判断することとを含み得る。
【００８７】
[0096]本明細書で説明する態様のうちの１つまたは複数の態様によれば、図９を参照すると、ワイヤレス通信を可能にするためのユーザエンティティによって動作可能な方法９００が示されている。一態様では、方法９００を実装するためにＵＥ１２０が利用され得ることに留意されたい。詳細には、方法９００内の処理ブロックは、送信プロセッサ５６４およびコントローラプロセッサ５８０、受信プロセッサ５５８など、ＵＥ１２０の様々な処理リソースのうちの１つまたは複数によって実装され得る。
【００８８】
[0097]方法９００は、９０１において、ユーザエンティティがマクロノードに干渉情報を与えることを伴い得る。上記で説明したように、そのような情報は、ＵＥ１２０のＩＣ能力に関する情報、ＵＥ１２０によって観測された干渉信号に関する情報などを含み得る。方法９００はさらに、９０２において、ピコノードによってスケジュールされた通信を受信することを伴い得、ここで、通信は、マクロノードからのデータの少なくとも１つのマクロセットに対応する情報を含んでいる擬似ＡＢＳ上で搬送される。
【００８９】
[0098]さらなる態様によれば、マクロセットは、たとえば、あらかじめ選択された優先度を有するデータ、あらかじめ選択された送信モードを有するデータ、最小トラフィック対パイロット比を有するデータ、指定された変調およびコーディングプロパティを有するデータなど、含むべきデータの制限された送信を含み得る。方法９００はさらに、少なくとも１つのマクロセット中に含まれる情報に対応する干渉を消去することを伴い得る。
【００９０】
[0099]本明細書で説明する態様のうちの１つまたは複数の態様によれば、図１０を参照すると、ピコノードなど、ワイヤレス通信を可能にするためのネットワークデバイスによって動作可能な方法１０００が示されている。一態様では、方法１０００を実装するためにｅＮＢ１１０が利用され得ることに留意されたい。詳細には、方法１０００内の処理ブロックは、送信プロセッサ５２０およびコントローラプロセッサ５４０、受信プロセッサ５３８およびスケジューラ５４４など、ｅＮＢ１１０の様々な処理リソースのうちの１つまたは複数によって実装され得る。さらに、実施形態は、マクロｅＮＢおよびピコｅＮＢなど、互いに通信している複数のｅＮＢ１１０を利用し得る。
【００９１】
[00100]方法１０００はさらに、１００１において、マクロノードから複数のサブフレームへのアクセスを受信することを伴い得、ここで、複数のサブフレームのうちの少なくとも１つが、マクロノードからのデータの少なくとも１つのマクロセットに対応する情報を有する擬似ＡＢＳを含む。
【００９２】
[00101]さらに、方法１０００は、１００２において、範囲拡大ユーザエンティティによって使用されるように少なくとも１つの擬似ＡＢＳをスケジュールすることに関与し得る。さらなる態様では、擬似ＡＢＳをスケジュールすることは、マクロノードからのデータのマクロセットのうちの第１のセットを有する擬似ＡＢＳを利用するように少なくとも１つのユーザエンティティをスケジュールすることと、マクロノードからのデータのマクロセットのうちの第２のセットを有する擬似ＡＢＳを利用するように異なるユーザエンティティをスケジュールすることとを含み得る。
【００９３】
[00102]さらなる態様によれば、方法１０００はまた、マクロノードに、１つまたは複数の範囲拡大ＵＥの消去能力に関する情報、干渉信号に関する情報などの干渉情報を与えることを含み得る。その上、さらなる態様は、マクロノードから更新された複数のサブフレームを受信することと、受信された複数のサブフレーム中の変化に応答してスケジューリングプロシージャを更新することとを含み得る。
【００９４】
[00103]本出願の別の態様は、ワイヤレス通信のために構成された装置として説明され得る。本装置は、マクロノードに対応する複数のセクタを指定するための手段と、指定された複数のセクタに対応する複数のマクロセットを形成するための手段と、複数のマクロセットのうちの少なくとも１つのマクロセットを含む少なくとも１つの擬似ＡＢＳを形成するための手段と、範囲拡大リソースによって使用されることになるパーティションを与えるために複数のサブフレームを区分するための手段とを含み得、ここで、区分された複数のサブフレームのうちの少なくとも１つのサブフレームは、形成された擬似ＡＢＳのうちの少なくとも１つを含む。さらなる態様では、本装置は、マクロノードに対応する複数のセクタを指定するための手段と、ここにおいて、複数のマクロセットが、指定された複数のセクタに対応して形成される、擬似ＡＢＳ内での範囲拡大ユーザエンティティへの送信をスケジュールするための手段のうちの１つまたは複数と、範囲拡大ＵＥのプロパティに対応するデータを受信するための手段と、受信されたデータに少なくとも部分的に基づいて擬似ＡＢＳ中でどのマクロセットがアクティブになるかを判断するための手段とを含み得る。
【００９５】
[00104]そのような装置は、送信プロセッサ５２０、コントローラプロセッサ５４０、受信プロセッサ５３８およびスケジューラ５４４などの様々な処理リソースを使用してｅＮＢ１１０など、ノードによって実装され得る。さらに、実施形態は、マクロｅＮＢおよびピコｅＮＢなど、互いに通信している複数のｅＮＢ１１０を利用し得る。
【００９６】
[00105]本出願の別の態様は、ワイヤレス通信のために構成された装置として説明され得る。そのような装置は、１つまたは複数のｅＮＢ１１０と通信している、ＵＥ１２０など、ＵＥ上に実装され得る。本装置はまた、送信プロセッサ５６４およびコントローラプロセッサ５８０、受信プロセッサ５５８など、ＵＥ１２０の様々な処理リソースのうちの１つまたは複数を利用し得る。本装置は、ユーザエンティティがマクロノードに干渉情報を与えるための手段と、ピコノードによってスケジュールされた通信を受信するための手段とを含み得、ここで、通信は、マクロノードからのデータの少なくとも１つのマクロセットに対応する情報を含む擬似ＡＢＳ上で搬送される。より詳細な態様では、本装置は、少なくとも１つのマクロセット中に含まれる情報に対応する干渉を消去するための手段を含み得る。
【００９７】
[00106]本出願のさらに別の態様は、ワイヤレス通信のために構成された装置として説明され得る。そのような装置は、送信プロセッサ５２０、コントローラプロセッサ５４０、受信プロセッサ５３８およびスケジューラ５４４などの様々な処理リソースを使用してｅＮＢ１１０など、ノードによって実装され得る。さらに、実施形態は、マクロｅＮＢおよびピコｅＮＢなど、互いに通信している複数のｅＮＢ１１０を利用し得る。本装置は、ピコｅＮＢ１１０ｘなど、マクロノードから複数のサブフレームへのアクセスを受信するための手段を含み得、ここで、複数のサブフレームのうちの少なくとも１つは、マクロノードからのデータの少なくとも１つのマクロセットに対応する情報を含む擬似ＡＢＳを含む。本装置はさらに、スケジューラ５４４など、範囲拡大ユーザエンティティによって使用されるように少なくとも１つの擬似ＡＢＳをスケジュールするための手段を含み得る。
【００９８】
[00107]さらなる態様では、本装置は、マクロノードに干渉情報を与えるための手段（たとえば制御プロセッサ５４０／送信プロセッサ５２０）のうちの１つまたは複数を含み得る。スケジューリング手段（たとえばスケジューラ５４４）はまた、マクロノードからのデータのマクロセットのうちの第１のセットを有する擬似ＡＢＳを利用するように少なくとも１つのユーザエンティティをスケジュールするための手段と、マクロノードからのデータのマクロセットのうちの第２のセットを有する擬似ＡＢＳを利用するように異なるユーザエンティティをスケジュールするための手段とを備え得る。さらなる態様はまた、マクロノードから更新された複数のサブフレームを、受信プロセッサ５３８を介してなど、受信するための手段と、受信された複数のサブフレームの変化に応答してスケジューリングプロシージャを更新するための手段とを含み得る。
【００９９】
[00108]情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１００】
[00109]図の機能ブロックおよびモジュールは、プロセッサ、電子デバイス、ハードウェアデバイス、電子構成要素、論理回路、メモリ、ソフトウェアコード、ファームウェアコードなど、またはそれらの任意の組合せを備え得る。
【０１０１】
[00110]さらに、本明細書の開示に関連して説明した様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課される設計制約に依存する。当業者は、説明した機能を特定の適用例ごとに様々な方法で実装し得るが、そのような実装の決定は、本開示の範囲からの逸脱を生じるものと解釈すべきではない。
【０１０２】
[00111]本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１０３】
[00112]本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に常駐し得る。ＡＳＩＣはユーザ端末中に常駐し得る。代替として、プロセッサおよび記憶媒体は、ユーザ端末中に個別構成要素として常駐し得る。
【０１０４】
[00113]１つまたは複数の例示的な設計では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続（connection）もコンピュータ可読媒体と適切に呼ばれる。たとえば、ソフトウェアが、同軸ケーブル、光ファイバーケーブル、ツイストペア、またはデジタル加入者回線（ＤＳＬ）を使用して、ウェブサイト、サーバ、またはその他のリモートソースから送信される場合、同軸ケーブル、光ファイバーケーブル、ツイストペア、または、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含めるべきである。
【０１０５】
[00114]特許請求の範囲を含めて、本明細書で使用される場合、２つ以上の項目の列挙中で使用されるとき、「および／または」という語は、列挙された項目のうちのいずれか１つが単独で採用され得ること、または列挙された項目のうちの２つ以上の任意の組合せが採用され得ることを意味する。たとえば、組成が、構成要素Ａ、Ｂ、および／またはＣを含んでいると記述されている場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙は、ＡまたはＢまたはＣまたはＡＢまたはＡＣまたはＢＣまたはＡＢＣ（すなわち、ＡおよびＢおよびＣ）を意味するような選言的列挙を示す。
【０１０６】
[00115]本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に、本願出願の当初の特許請求の範囲に記載された発明を付記する。
［Ｃ１］
ワイヤレス通信の方法であって、
マクロノードの動作特性に従って複数のマクロセットを形成することと、
前記複数のマクロセットのうちの少なくとも１つのアクティブマクロセットを含む少なくとも１つの擬似オールモストブランクサブフレーム（ＡＢＳ）を形成することと、
範囲拡大リソースによって使用されることになるパーティションを与えるために複数のサブフレームを区分することと、ここにおいて前記区分された複数のサブフレームのうちの少なくとも１つのサブフレームが、前記形成された擬似ＡＢＳのうちの少なくとも１つを含む、
を備える、方法。
［Ｃ２］
前記動作特性が前記マクロノードのセクタ化を含み、前記方法は、
前記マクロノードに対応する複数のセクタを指定することをさらに備え、ここにおいて前記複数のマクロセットが、前記指定された複数のセクタに対応して形成される、
Ｃ１に記載の方法。
［Ｃ３］
ピコノードが擬似ＡＢＳ内でのユーザエンティティへの送信をスケジュールすることをさらに備える、Ｃ１に記載の方法。
［Ｃ４］
前記範囲拡大リソースのための前記パーティションがＡＢＳと擬似ＡＢＳの両方を含む、Ｃ１に記載の方法。
［Ｃ５］
前記範囲拡大リソースのための前記パーティションが、複数のマクロセットを有する複数の擬似ＡＢＳを含む、Ｃ１に記載の方法。
［Ｃ６］
範囲拡大ＵＥのプロパティに対応するデータを受信することと、
前記受信されたデータに少なくとも部分的に基づいて擬似ＡＢＳ中でどのマクロセットがアクティブになるかを判断することと
をさらに備える、Ｃ１に記載の方法。
［Ｃ７］
範囲拡大ＵＥのプロパティに対応する前記受信されたデータが、前記ＵＥの干渉消去能力に関するデータと、１つまたは複数のセルからの観測された信号電力データとのうちの少なくとも１つを含む、Ｃ６に記載の方法。
［Ｃ８］
ワイヤレス通信のために構成された装置であって、
マクロノードの動作特性に従って複数のマクロセットのための手段と、
前記複数のマクロセットのうちの少なくとも１つのアクティブマクロセットを含む少なくとも１つの擬似ＡＢＳを形成するための手段と、
範囲拡大リソースによって使用されることになるパーティションを与えるために複数のサブフレームを区分するための手段と、ここにおいて前記区分された複数のサブフレームのうちの少なくとも１つのサブフレームが、前記形成された擬似ＡＢＳのうちの少なくとも１つを含む、
を備える、装置。
［Ｃ９］
前記動作特性が前記マクロノードのセクタ化を含み、前記装置は、
前記マクロノードに対応する複数のセクタを指定するための手段をさらに備え、ここにおいて前記複数のマクロセットが、前記指定された複数のセクタに対応して形成される、
Ｃ８に記載の装置。
［Ｃ１０］
擬似ＡＢＳ内での範囲拡大ユーザエンティティへの送信をスケジュールするための手段をさらに備える、Ｃ８に記載の装置。
［Ｃ１１］
前記範囲拡大リソースのための前記パーティションがＡＢＳと擬似ＡＢＳの両方を含む、Ｃ８に記載の装置。
［Ｃ１２］
前記範囲拡大リソースのための前記パーティションが、複数のマクロセットを有する複数の擬似ＡＢＳを含む、Ｃ８に記載の装置。
［Ｃ１３］
範囲拡大ＵＥのプロパティに対応するデータを受信するための手段と、
前記受信されたデータに少なくとも部分的に基づいて擬似ＡＢＳ中でどのマクロセットがアクティブになるかを判断するための手段と
をさらに備える、Ｃ８に記載の装置。
［Ｃ１４］
範囲拡大ＵＥのプロパティに対応する前記受信されたデータが、前記ＵＥの干渉消去能力に関するデータと、１つまたは複数のセルからの観測された信号電力データとのうちの少なくとも１つを含む、Ｃ１３に記載の装置。
［Ｃ１５］
ワイヤレスネットワークにおけるワイヤレス通信のためのコンピュータプログラム製品であって、
プログラムコードを記録した非一時的コンピュータ可読媒体を備え、前記プログラムコードは、
コンピュータに、
マクロノードの動作特性に従って複数のマクロセットを形成することと、
前記複数のマクロセットのうちの少なくとも１つのアクティブマクロセットを含む少なくとも１つの擬似ＡＢＳを形成することと、
範囲拡大リソースによって使用されることになるパーティションを与えるために複数のサブフレームを区分することと、ここにおいて前記区分された複数のサブフレームのうちの少なくとも１つのサブフレームが、前記形成された擬似ＡＢＳのうちの少なくとも１つを含む、
を行わせるプログラムコード
を含む、コンピュータプログラム製品。
［Ｃ１６］
前記動作特性が前記マクロノードのセクタ化を含み、前記プログラム製品が、前記マクロノードに対応する複数のセクタを指定するためのプログラムコードをさらに備え、ここにおいて前記複数のマクロセットが、前記指定された複数のセクタに対応して形成される、Ｃ１５に記載のコンピュータプログラム製品。
［Ｃ１７］
コンピュータに擬似ＡＢＳ内でのユーザエンティティへの送信をスケジュールさせるプログラムコードをさらに備える、Ｃ１５に記載のコンピュータプログラム製品。
［Ｃ１８］
前記範囲拡大リソースのための前記パーティションがＡＢＳと擬似ＡＢＳの両方を含む、Ｃ１５に記載のコンピュータプログラム製品。
［Ｃ１９］
前記範囲拡大リソースのための前記パーティションが、複数のマクロセットを有する複数の擬似ＡＢＳを含む、Ｃ１５に記載のコンピュータプログラム製品。
［Ｃ２０］
コンピュータに、
範囲拡大ＵＥのプロパティに対応するデータを受信することと、
前記受信されたデータに少なくとも部分的に基づいて擬似ＡＢＳ中でどのマクロセットがアクティブになるかを判断することと
を行わせるプログラムコードをさらに備える、Ｃ１５に記載のコンピュータプログラム製品。
［Ｃ２１］
範囲拡大ＵＥのプロパティに対応する前記受信されたデータが、前記ＵＥの干渉消去能力に関するデータと、１つまたは複数のセルからの観測された信号電力データとのうちの少なくとも１つを含む、Ｃ１９に記載のコンピュータプログラム製品。
［Ｃ２２］
ワイヤレス通信のために構成された装置であって、前記装置が、
少なくとも１つのプロセッサと、
前記少なくとも１つのプロセッサに結合されたメモリと
を備え、
ここにおいて前記少なくとも１つのプロセッサは、
マクロノードの動作特性に従って複数のマクロセットを形成することと、
前記複数のマクロセットのうちの少なくとも１つのアクティブマクロセットを含む少なくとも１つの擬似ＡＢＳを形成することと、
範囲拡大リソースによって使用されることになるパーティションを与えるために複数のサブフレームを区分することと、ここにおいて前記区分された複数のサブフレームのうちの少なくとも１つのサブフレームが、前記形成された擬似ＡＢＳのうちの少なくとも１つを含む、
を行うように構成された、
装置。
［Ｃ２３］
前記動作特性が前記マクロノードのセクタ化を含み、前記少なくとも１つのプロセッサは、
前記マクロノードに対応する複数のセクタを指定するようにさらに構成され、ここにおいて前記複数のマクロセットが、前記指定された複数のセクタに対応して形成される、
Ｃ２２に記載の装置。
［Ｃ２４］
前記プロセッサが、擬似ＡＢＳ内でのユーザエンティティへの送信をスケジュールするようにさらに構成された、Ｃ２２に記載の装置。
［Ｃ２５］
前記範囲拡大リソースのための前記パーティションがＡＢＳと擬似ＡＢＳの両方を含む、Ｃ２２に記載の装置。
［Ｃ２６］
前記範囲拡大リソースのための前記パーティションが、複数のマクロセットを有する複数の擬似ＡＢＳを含む、Ｃ２２に記載の装置。
［Ｃ２７］
前記プロセッサが、
範囲拡大ＵＥのプロパティに対応するデータを受信することと、
前記受信されたデータに少なくとも部分的に基づいて擬似ＡＢＳ中でどのマクロセットがアクティブになるかを判断することと
を行うようにさらに構成された、Ｃ２２に記載の装置。
［Ｃ２８］
範囲拡大ＵＥのプロパティに対応する前記受信されたデータが、前記ＵＥの干渉消去能力に関するデータと、１つまたは複数のセルからの観測された信号電力データとのうちの少なくとも１つを含む、Ｃ２７に記載の装置。
［Ｃ２９］
ワイヤレス通信の方法であって、
ユーザエンティティがマクロノードに干渉情報を与えることと、
ピコノードによってスケジュールされた通信を受信することと、ここにおいて前記通信が、マクロノードからのデータの少なくとも１つのマクロセットに対応する情報を含む擬似ＡＢＳ上で搬送される、
を備える、方法。
［Ｃ３０］
前記少なくとも１つのマクロセット中に含まれる情報に対応する干渉を消去することをさらに備える、Ｃ２９に記載の方法。
［Ｃ３１］
前記少なくとも１つのマクロセットが、マクロノードからの制限されたデータ送信を含む、Ｃ３０に記載の方法。
［Ｃ３２］
前記データが、あらかじめ選択された優先度を有するデータを含むように制限される、Ｃ３１に記載の方法。
［Ｃ３３］
前記データが、あらかじめ選択された送信モードを有するデータを含むように制限される、Ｃ３１に記載の方法。
［Ｃ３４］
前記あらかじめ選択された送信モードがＴＭ３モードとＴＭ３／４モードとのうちの１つである、Ｃ３３に記載の方法。
［Ｃ３５］
前記データが、最小トラフィック対パイロット比を有するデータを含むように制限される、Ｃ３１に記載の方法。
［Ｃ３６］
前記データが、指定された変調およびコーディングプロパティを有するデータを含むように制限される、Ｃ３１に記載の方法。
［Ｃ３７］
前記ユーザエンティティによって与えられた前記干渉情報が、前記ユーザエンティティの干渉消去能力に関係する情報を含む、Ｃ２９に記載の方法。
［Ｃ３８］
前記干渉消去能力は、送信の制限タイプと、前記ユーザエンティティが消去することが可能な送信の数とのうちの１つまたは複数を含む、Ｃ３７に記載の方法。
［Ｃ３９］
前記ユーザエンティティによって与えられた前記干渉情報が、前記ユーザエンティティによって観測された干渉信号に関係する情報を含む、Ｃ２９に記載の方法。
［Ｃ４０］
ワイヤレス通信のために構成された装置であって、
ユーザエンティティがマクロノードに干渉情報を与えるための手段と、
ピコノードによってスケジュールされた通信を受信するための手段と、ここにおいて前記通信が、マクロノードからのデータの少なくとも１つのマクロセットに対応する情報を含む擬似ＡＢＳ上で搬送される、
を備える、装置。
［Ｃ４１］
前記少なくとも１つのマクロセット中に含まれる情報に対応する干渉を消去するための手段をさらに備える、Ｃ４０に記載の装置。
［Ｃ４２］
前記少なくとも１つのマクロセットが、マクロノードからの制限されたデータ送信を含む、Ｃ４１に記載の装置。
［Ｃ４３］
前記ユーザエンティティによって与えられた前記干渉情報が、前記ユーザエンティティの干渉消去能力に関係する情報を含む、Ｃ４０に記載の装置。
［Ｃ４４］
前記干渉消去能力は、送信の制限タイプと、前記ユーザエンティティが消去することが可能な送信の数とのうちの１つまたは複数を含む、Ｃ４３に記載の装置。
［Ｃ４５］
前記ユーザエンティティによって与えられた前記干渉情報が、前記ユーザエンティティによって観測された干渉信号に関係する情報を含む、Ｃ４０に記載の装置。
［Ｃ４６］
ワイヤレスネットワークにおけるワイヤレス通信のためのコンピュータプログラム製品であって、
プログラムコードを記録した非一時的コンピュータ可読媒体を備え、前記プログラムコードは、
コンピュータに、
ユーザエンティティがマクロノードに干渉情報を与えることと、
ピコノードによってスケジュールされた通信を受信することと、ここにおいて前記通信が、マクロノードからのデータの少なくとも１つのマクロセットに対応する情報を含む擬似ＡＢＳ上で搬送される、
を行わせるためプログラムコード
を含む、コンピュータプログラム製品。
［Ｃ４７］
コンピュータに前記少なくとも１つのマクロセット中に含まれる情報に対応する干渉を消去させるコードさらに備える、Ｃ４６に記載のコンピュータプログラム製品。
［Ｃ４８］
前記少なくとも１つのマクロセットが、マクロノードからの制限されたデータ送信を含む、Ｃ４７に記載のコンピュータプログラム製品。
［Ｃ４９］
前記ユーザエンティティによって与えられた前記干渉情報が、前記ユーザエンティティの干渉消去能力に関係する情報を含む、Ｃ４６に記載のコンピュータプログラム製品。
［Ｃ５０］
前記干渉消去能力は、送信の制限タイプと、前記ユーザエンティティが消去することが可能な送信の数とのうちの１つまたは複数を含む、Ｃ４９に記載のコンピュータプログラム製品。
［Ｃ５１］
前記ユーザエンティティによって与えられた前記干渉情報が、前記ユーザエンティティによって観測された干渉信号に関係する情報を含む、Ｃ４６に記載のコンピュータプログラム製品。
［Ｃ５２］
ワイヤレス通信のために構成された装置であって、前記装置が、
少なくとも１つのプロセッサと、
前記少なくとも１つのプロセッサに結合されたメモリと
を備え、
ここにおいて前記少なくとも１つのプロセッサは、
ユーザエンティティがマクロノードに干渉情報を与えることと、
ピコノードによってスケジュールされた通信を受信することと、ここにおいて前記通信が、マクロノードからのデータの少なくとも１つのマクロセットに対応する情報を含む擬似ＡＢＳ上で搬送される、
を行うように構成された、
装置。
［Ｃ５３］
前記プロセッサが、前記少なくとも１つのマクロセット中に含まれる情報に対応する干渉を消去するようにさらに構成された、Ｃ５２に記載の装置。
［Ｃ５４］
前記少なくとも１つのマクロセットが、マクロノードからの制限されたデータ送信を含む、Ｃ５３に記載の装置。
［Ｃ５５］
前記ユーザエンティティによって与えられた前記干渉情報が、前記ユーザエンティティの干渉消去能力に関係する情報を含む、Ｃ５２に記載の装置。
［Ｃ５６］
前記干渉消去能力は、送信の制限タイプと、前記ユーザエンティティが消去することが可能な送信の数とのうちの１つまたは複数を含む、Ｃ５５に記載の装置。
［Ｃ５７］
前記ユーザエンティティによって与えられた前記干渉情報が、前記ユーザエンティティによって観測された干渉信号に関係する情報を含む、Ｃ５２に記載の装置。
［Ｃ５８］
ワイヤレス通信の方法であって、
マクロノードから複数のサブフレームへのアクセスを受信することと、ここにおいて前記複数のサブフレームのうちの少なくとも１つが、マクロノードからのデータの少なくとも１つのマクロセットに対応する情報を含む擬似ＡＢＳを含む、
範囲拡大ユーザエンティティによって使用されるように前記少なくとも１つの擬似ＡＢＳをスケジュールすることと
を備える、方法。
［Ｃ５９］
マクロノードに干渉情報を与えることをさらに備える、Ｃ５８に記載の方法。
［Ｃ６０］
干渉情報が、１つまたは複数の範囲拡大ユーザエンティティの干渉消去能力に関係する情報を含む、Ｃ５９に記載の方法。
［Ｃ６１］
前記少なくとも１つの擬似ＡＢＳをスケジュールすることが、
マクロノードからのデータのマクロセットのうちの第１のセットを有する擬似ＡＢＳを利用するように少なくとも１つのユーザエンティティをスケジュールすることと、
マクロノードからのデータのマクロセットのうちの第２のセットを有する擬似ＡＢＳを利用するように異なるユーザエンティティをスケジュールすることと
を含む、Ｃ５９に記載の方法。
［Ｃ６２］
マクロノードから更新された複数のサブフレームを受信することと、
前記受信された複数のサブフレームの変化に応答してスケジューリングプロシージャを更新することと
をさらに備える、Ｃ５８に記載の方法。
［Ｃ６３］
ワイヤレス通信のために構成された装置であって、
マクロノードから複数のサブフレームへのアクセスを受信するための手段と、ここにおいて前記複数のサブフレームのうちの少なくとも１つが、マクロノードからのデータの少なくとも１つのマクロセットに対応する情報を含む擬似ＡＢＳを含む、
範囲拡大ユーザエンティティによって使用されるように前記少なくとも１つの擬似ＡＢＳをスケジュールするための手段と
を備える、装置。
［Ｃ６４］
マクロノードに干渉情報を与えるための手段をさらに備える、Ｃ６３に記載の装置。
［Ｃ６５］
干渉情報が、１つまたは複数の範囲拡大ユーザエンティティの干渉消去能力に関係する情報を含む、Ｃ６４に記載の装置。
［Ｃ６６］
前記少なくとも１つの擬似ＡＢＳをスケジュールするための手段が、
マクロノードからのデータのマクロセットのうちの第１のセットを有する擬似ＡＢＳを利用するように少なくとも１つのユーザエンティティをスケジュールするための手段と、
マクロノードからのデータのマクロセットのうちの第２のセットを有する擬似ＡＢＳを利用するように異なるユーザエンティティをスケジュールするための手段と
を含む、Ｃ６４に記載の装置。
［Ｃ６７］
マクロノードから更新された複数のサブフレームを受信するための手段と、
前記受信された複数のサブフレームの変化に応答してスケジューリングプロシージャを更新するための手段と
をさらに備える、Ｃ６３に記載の装置。
［Ｃ６８］
ワイヤレスネットワークにおけるワイヤレス通信のためのコンピュータプログラム製品であって、
プログラムコードを記録した非一時的コンピュータ可読媒体を備え、前記プログラムコードは、
コンピュータに、
マクロノードから複数のサブフレームへのアクセスを受信することと、ここにおいて前記複数のサブフレームのうちの少なくとも１つが、マクロノードからのデータの少なくとも１つのマクロセットに対応する情報を含む擬似ＡＢＳを含む、
範囲拡大ユーザエンティティによって使用されるように前記少なくとも１つの擬似ＡＢＳをスケジュールすることと
を行わせるプログラムコード
を含む、コンピュータプログラム製品。
［Ｃ６９］
コンピュータに、マクロノードに干渉情報を与えさせるプログラムコードをさらに備える、Ｃ６８に記載のコンピュータプログラム製品。
［Ｃ７０］
干渉情報が、１つまたは複数の範囲拡大ユーザエンティティの干渉消去能力に関係する情報を含む、Ｃ６９に記載のコンピュータプログラム製品。
［Ｃ７１］
コンピュータに前記少なくとも１つの擬似ＡＢＳをスケジュールさせるプログラムコードが、コンピュータに、
マクロノードからのデータのマクロセットのうちの第１のセットを有する擬似ＡＢＳを利用するように少なくとも１つのユーザエンティティをスケジュールすることと、
マクロノードからのデータのマクロセットのうちの第２のセットを有する擬似ＡＢＳを利用するように異なるユーザエンティティをスケジュールすることと
を行わせるコードを含む、Ｃ６９に記載のコンピュータプログラム製品。
［Ｃ７２］
コンピュータに、
マクロノードから更新された複数のサブフレームを受信することと、
前記受信された複数のサブフレームの変化に応答してスケジューリングプロシージャを更新することと
を行わせるプログラムコードをさらに備える、Ｃ６８に記載のコンピュータプログラム製品。
［Ｃ７３］
ワイヤレス通信のために構成された装置であって、前記装置が、
少なくとも１つのプロセッサと、
前記少なくとも１つのプロセッサに結合されたメモリと
を備え、
ここにおいて前記少なくとも１つのプロセッサは、
マクロノードから複数のサブフレームへのアクセスを受信することと、ここにおいて前記複数のサブフレームのうちの少なくとも１つが、マクロノードからのデータの少なくとも１つのマクロセットに対応する情報を含む擬似ＡＢＳを含む、
範囲拡大ユーザエンティティによって使用されるように前記少なくとも１つの擬似ＡＢＳをスケジュールすることと
を行うように構成された、
装置。
［Ｃ７４］
前記プロセッサが、マクロノードに干渉情報を与えるようにさらに構成された、Ｃ７３に記載の装置。
［Ｃ７５］
干渉情報が、１つまたは複数の範囲拡大ユーザエンティティの干渉消去能力に関係する情報を含む、Ｃ７４に記載の装置。
［Ｃ７６］
前記プロセッサが、
マクロノードからのデータのマクロセットのうちの第１のセットを有する擬似ＡＢＳを利用するように少なくとも１つのユーザエンティティをスケジュールすることと、
マクロノードからのデータのマクロセットのうちの第２のセットを有する擬似ＡＢＳを利用するように異なるユーザエンティティをスケジュールすることと
を行うようにさらに構成された、Ｃ７４に記載の装置。
［Ｃ７７］
前記プロセッサが、
マクロノードから更新された複数のサブフレームを受信することと、
前記受信された複数のサブフレームの変化に応答してスケジューリングプロシージャを更新することと
を行うようにさらに構成された、Ｃ７３に記載の装置。
【図１】
0006382207.tif 000002
【図２】
0006382207.tif 000003
【図３】
0006382207.tif 000004
【図４】
0006382207.tif 000005
【図５】
0006382207.tif 000006
【図６】
0006382207.tif 000007
【図７】
0006382207.tif 000008
【図８】
0006382207.tif 000009
【図９】
0006382207.tif 000010
【図１０】
0006382207.tif 000011